(57)【要約】  本発明は、１台の端末に対して１つ以上の送信レイヤを割り当てるとともに、各送信レイヤにおいて通信リソースの最小割り当て単位であるリソースブロックを１つ以上割り当てて端末へ信号を送信する基地局（１）であって、複数の送信レイヤのうち、いずれか１つの送信レイヤと対応付けられた処理部（１２−１，１２−２，１２−３，…）を送信レイヤと同じ数だけ備え、処理部の各々は、端末が受信信号の復調処理で使用する参照信号を生成する参照信号生成部（１２６）と、端末との間の伝送路の状態、および、隣接するセルにおける参照信号の送信で使用されるリソースブロックの情報のうち、少なくとも一方に基づいて、端末へ参照信号を送信するリソースブロックの配置を決定する情報処理部（１２１）と、を備える。
2018198287.tif 000002
【特許請求の範囲】
【請求項１】
１台の端末に対して１つ以上の送信レイヤを割り当てるとともに、各送信レイヤにおいて通信リソースの最小割り当て単位であるリソースブロックを１つ以上割り当てて前記端末へ信号を送信する送信装置であって、
複数の前記送信レイヤのうち、いずれか１つの送信レイヤと対応付けられた処理部を前記送信レイヤと同じ数だけ備え、
前記処理部の各々は、
前記端末が受信信号の復調処理で使用する参照信号を生成する参照信号生成部と、
前記端末との間の伝送路の状態、および、隣接するセルにおける前記参照信号の送信で使用される前記リソースブロックの情報のうち、少なくとも一方に基づいて、前記端末へ前記参照信号を送信するリソースブロックの配置を決定する情報処理部と、
を備えることを特徴とする送信装置。
【請求項２】
前記情報処理部は、前記参照信号の送信で使用するリソースブロックの配置を予め決められた複数の配置の中から選択する、
ことを特徴とする請求項１に記載の送信装置。
【請求項３】
前記予め決められた複数の配置は、前記リソースブロックの割り当てを行う単位であるスケジュル単位における前記リソースブロックの密度が異なる複数の配置を含む、
ことを特徴とする請求項２に記載の送信装置。
【請求項４】
前記リソースブロックの密度が異なる複数の配置は、前記スケジュル単位の周波数軸方向の密度が異なる、
ことを特徴とする請求項３に記載の送信装置。
【請求項５】
前記リソースブロックの密度が異なる複数の配置は、前記スケジュル単位の時間軸方向の密度が異なる、
ことを特徴とする請求項３に記載の送信装置。
【請求項６】
前記予め決められた複数の配置は、前記リソースブロックの割り当てを行う単位であるスケジュル単位における前記リソースブロックの密度が同じ、かつ前記リソースブロックの各々の前記スケジュル単位内における位置が重ならない複数の配置を含む、
ことを特徴とする請求項２から５のいずれか一つに記載の送信装置。
【請求項７】
前記参照信号を送信するリソースブロックの配置が通信相手の前記端末ごとに異なる、
ことを特徴とする請求項１から６のいずれか一つに記載の送信装置。
【請求項８】
前記参照信号を送信するリソースブロックの配置を、基準となる配置を表す情報と、前記基準となる配置とのずれを表すオフセット情報とを使用して前記端末へ通知する、
ことを特徴とする請求項１から７のいずれか一つに記載の送信装置。
【請求項９】
前記参照信号を送信するリソースブロックの配置を、セルの識別子に基づいて設定する、
ことを特徴とする請求項１から７のいずれか一つに記載の送信装置。
【請求項１０】
前記参照信号を送信するリソースブロックの配置を、マルチキャスト通信の識別子に基づいて設定する、
ことを特徴とする請求項１から７のいずれか一つに記載の送信装置。
【請求項１１】
請求項１から１０のいずれか一つに記載の送信装置が送信した信号を受信する受信装置であって、
前記送信装置が前記参照信号を送信するリソースブロックを特定し、前記特定したリソースブロックに含まれる前記参照信号を用いてデータ信号を復調する、
ことを特徴とする受信装置。
【発明の詳細な説明】
【技術分野】
【０００１】
本発明は、マルチキャリアブロック伝送に対応した送信装置および受信装置に関する。
【背景技術】
【０００２】
デジタル通信システムにおいて、送信信号が建物などに反射して起こるマルチパスフェージングまたは通信装置の移動によって起こるドップラ変動によって、伝送路の周波数選択性および時間変動が発生する。マルチパスフェージングが発生するマルチパス環境において、通信装置が受信する信号は、送信元の通信装置から直接届く送信シンボルと建物などで反射してから遅れて届くシンボルとが干渉した信号となる。【０００３】
このような周波数選択性のある伝送路においては、最良の受信特性を得るため、マルチキャリア（Multiple  Carrier：ＭＣ）ブロック伝送であるＯＦＤＭ（Orthogonal  Frequency  Division  Multiplexing：直交周波数分割多重）伝送方式（たとえば、下記非特許文献１参照）が用いられる。【０００４】
また、通信容量を改善するための技術として、複数の送受信アンテナを用いるＭＩＭＯ（Multiple  Input  Multiple  Output）無線伝送方式が存在する。ＭＩＭＯ通信においては通信容量改善のため送信レイヤを多重する方式と、複数ユーザの各々への信号を並列に送信するために送信レイヤを多重する方式とがある。後者はマルチユーザＭＩＭＯと呼ばれる。マルチユーザＭＩＭＯにおいては、複数ユーザ向けの複数の送信レイヤを送信側にて多重する。マルチユーザＭＩＭＯにおいても１ユーザあたりに複数の送信レイヤを多重して通信容量を改善することができる。なお、送信レイヤとは、空間多重される信号の単位であり、ストリームとも呼ばれる。以下、複数の送信レイヤの信号が多重されることをレイヤ多重という。【０００５】
レイヤ多重は一般的に送信側でプリコーディングを用いて実施される。プリコーディングは、送信側から受信側に向けた伝送路の伝送路推定値を使用して行う。そのため、送信側の通信装置は、受信側の通信装置が伝送路の推定、および、送信側へのフィードバックを実施できるよう、伝送路推定に使用可能な参照信号が挿入された信号を生成して送信する。また、参照信号は、多重された信号を復調する際にも使用される。参照信号には幾つかの種類がある。標準化団体３ＧＰＰ（3rd  Generation  Partnership  Project）においても複数の参照信号が定められており、その１つであるＤＭＲＳ（Demodulation  Reference  Signal）はプリコーディング処理が実施されてから送信される。そのため、受信側の通信装置は、ＤＭＲＳを使用して、送信側で実施されたプリコーディング処理および伝送路を推定する事が可能である。ＤＭＲＳは復調用参照信号とも呼ばれる。【０００６】
また、一般的に、マルチユーザＭＩＭＯにおいては、各送信レイヤおよび各ユーザに独自の参照信号が割り当てられる。この場合、受信側の通信装置は、自装置に向けて信号が送信される送信レイヤに割り当てられた参照信号を用いる事で、当該送信レイヤの伝送路推定を行うことができるとともに、受信信号を復調できる。
【先行技術文献】
【非特許文献】
【０００７】
【非特許文献１】Ｗ.Ｙ.Ｚｏｕ  ａｎｄ  Ｙ.Ｗｕ，“ＣＯＦＤＭ：Ａｎ  ｏｖｅｒｖｉｅｗ”，ＩＥＥＥ  Ｔｒａｎｓ.  ｏｎ  Ｂｒｏａｄｃａｓｔｉｎｇ,  ｖｏｌ.４１,  ｎｏ.１,  Ｍａｒｃｈ  １９９５,  ｐｐ.１−８．
【発明の概要】
【発明が解決しようとする課題】
【０００８】
ＯＦＤＭ伝送方式においては、周波数におけるサブキャリア、または３ＧＰＰにおけるリソースエレメント（Resource  Element：ＲＥ）を単位として、参照信号を周波数領域および時間領域に配置することができる。リソースエレメントは、３ＧＰＰにおいて規定されるリソースの割当て単位である。参照信号を用いることで受信側の通信装置が伝送路推定および復調を実施することができる。ここで、通信品質を高めるためには伝送路推定を高精度に行うことが重要であり、周波数領域および時間領域に配置する参照信号の数を多くすることで伝送路の推定精度を向上させることができる。しかしながら、周波数領域および時間領域に配置する参照信号の数が増えるとデータ伝送用に使用できるリソースエレメントの数が減少し、伝送効率が低下する。また、周波数ごとに伝送路状態が大きく異なる場合は参照信号の数を増加することで伝送路の推定精度を改善することができるが、周波数ごとの伝送路状態に大きな違いが無い場合、参照信号の数を増加しても伝送路の推定精度を向上させることができずに伝送効率が低下する。このように、参照信号の適切な数、すなわち一定の領域内における参照信号の適切な密度は、伝送路の状態に依存する。また、参照信号の密度を必要以上に高くすると伝送効率が低下し、必要以上に低くすると通信品質が低下する。【０００９】
本発明は、上記に鑑みてなされたものであって、通信品質および伝送効率の低下を抑制することが可能な送信装置を得ることを目的とする。
【課題を解決するための手段】
【００１０】
上述した課題を解決し、目的を達成するために、本発明は、１台の端末に対して１つ以上の送信レイヤを割り当てるとともに、各送信レイヤにおいて通信リソースの最小割り当て単位であるリソースブロックを１つ以上割り当てて端末へ信号を送信する送信装置であって、複数の送信レイヤのうち、いずれか１つの送信レイヤと対応付けられた処理部を送信レイヤと同じ数だけ備える。また、処理部の各々は、端末が受信信号の復調処理で使用する参照信号を生成する参照信号生成部と、端末との間の伝送路の状態、および、隣接するセルにおける参照信号の送信で使用されるリソースブロックの情報のうち、少なくとも一方に基づいて、端末へ参照信号を送信するリソースブロックの配置を決定する情報処理部と、を備える。
【発明の効果】
【００１１】
本発明にかかる送信装置は、通信品質および伝送効率が低下するのを抑制できるという効果を奏する。
【図面の簡単な説明】
【００１２】
【図１】実施の形態１にかかる通信システムの構成例を示す図
【図２】実施の形態１にかかる基地局の構成例を示す図
【図３】実施の形態１にかかる通信システムにおいて参照信号、データ信号およびパラメタ信号を配置する領域を示す図
【図４】実施の形態１にかかる通信システムにおいて想定するＤＭＲＳの配置の例を示す図
【図５】実施の形態１にかかる基地局がポート番号を端末に通知する際に使用するテーブルの一例を示す図
【図６】実施の形態１にかかる通信システムにおいて使用するＤＭＲＳの配置の第１の例を示す図
【図７】実施の形態１にかかる通信システムの一例を示す図
【図８】実施の形態１にかかる通信システムにおいて使用するＤＭＲＳの配置の第２の例を示す図
【図９】実施の形態１にかかる通信システムにおいて使用するＤＭＲＳの配置の第３の例を示す図
【図１０】実施の形態１にかかる通信システムにおいて使用するＤＭＲＳの配置の第４の例を示す図
【図１１】実施の形態１にかかる基地局がＤＭＲＳの配置を決定する動作の一例を示すシーケンス図
【図１２】実施の形態１にかかる基地局がＤＭＲＳの配置を決定する動作の他の例を示すシーケンス図
【図１３】実施の形態１にかかる通信システムにおいて使用するＤＭＲＳの配置の第５の例を示す図
【図１４】ＲＢ内のＤＭＲＳの配置パターンの例を示す図
【図１５】ＲＢ内のＤＭＲＳの配置パターンの他の例を示す図
【図１６】ＤＭＲＳを２つのＯＦＤＭシンボルに配置する場合の例を示す図
【図１７】基地局の構成要素をソフトウェアで実現する場合の制御回路の構成例を示す図
【図１８】基地局の構成要素を専用のハードウェアで実現する場合の専用回路の構成例を示す図
【図１９】本発明にかかる端末の構成例を示す図
【発明を実施するための形態】
【００１３】
以下に、本発明の実施の形態にかかる送信装置および受信装置を図面に基づいて詳細に説明する。なお、この実施の形態によりこの発明が限定されるものではない。
【００１４】
実施の形態１．
図１は、本発明の実施の形態１にかかる通信システムの構成例を示す図である。本実施の形態の通信システムは、基地局１と、１つ以上の端末の一例である端末２−１〜２−ｎを備える。ｎは１以上の整数である。以下の説明において、端末２−１〜２−ｎを区別しない場合には、端末２−１〜２−ｎの各々を端末２と記載する。また、端末２−１〜２−ｎをまとめて複数の端末２と記載する場合もある。
【００１５】
端末２は、ユーザ端末またはＵＥ（User  Equipment）とも呼ばれる通信装置であり、基地局１から受信したデータ信号の復調処理を、参照信号を使用して行う。基地局１から端末２に向けた伝送路はダウンリンクと呼ばれ、端末２から基地局１に向けた伝送路はアップリンクと呼ばれる。ダウンリンクの通信においては、基地局１は送信装置であり、端末２は受信装置である。アップリンクの通信においては、端末２は送信装置であり、基地局１は受信装置である。本実施の形態にかかる通信システムにおいては、ダウンリンクの通信でＯＦＤＭ方式を用いる。よって、本実施の形態にかかる通信システムのダウンリンクにおけるシンボルはＯＦＤＭシンボルである。また、本実施の形態にかかる通信システムは、ダウンリンクの通信ではマルチユーザＭＩＭＯ方式を用いる。そのため、基地局１は、複数のアンテナから送信する送信信号に対してプリコーディングを実施して、複数の端末２を指向するビームを形成可能である。なお、以下では、通信システムがマルチユーザＭＩＭＯ方式を用いてレイヤ多重を行う例を説明するが、マルチユーザＭＩＭＯ方式に限定されない。レイヤ多重が可能な他の方式を用いた通信システムとしてもよい。
【００１６】
本実施の形態では、ダウンリンクの通信、すなわち、基地局１が送信装置として動作し、端末２が受信装置として動作する通信について説明を行う。アップリンクの通信については従来と同様であるため、詳細説明を省略する。
【００１７】
図２は、本実施の形態にかかる基地局１の構成例を示す図である。基地局１は、受信部１１、処理部１２−１，１２−２，…、プリコーディング部１３および送信部１４を備える。以下の説明において、処理部１２−１，１２−２，…を区別しない場合には、これらの各々を処理部１２と記載する。処理部１２の数は２以上であり、処理部１２の数は送信レイヤの数と一致する。すなわち、基地局１は送信レイヤ数分の処理部１２を備える。各処理部１２は同様の構成である。
【００１８】
受信部１１は、アップリンクの通信により各端末２から送信された信号を受信するとこれを復調し、復調後の受信信号を処理部１２の各々へ渡す。
【００１９】
処理部１２は、対応する端末２からの受信信号に対する受信処理を行うとともに、対応する端末２へ送信する信号を生成してプリコーディング部１３に出力する。受信処理には、受信信号からデータおよび制御情報を抽出する処理、抽出したデータおよび制御情報の一部または全てを上位レイヤの処理を行う処理部（図示せず）に受け渡す処理、などが含まれる。なお、上位レイヤは、上述した送信レイヤとは異なり、ＯＳＩ（Open  Systems  Interconnection）参照モデルにおける上位レイヤ、すなわち、ＯＳＩ参照モデルにおいて処理部１２−ｉ（ｉ=1,2,3,…）が属するレイヤよりも上位のレイヤである。また、対応する端末２とは、処理部１２が対応付けられている送信レイヤに割り当てられている端末２であり、たとえば、処理部１２−１に対応する端末２は、送信レイヤ１に割り当てられている端末２が該当する。
【００２０】
処理部１２は、情報処理部１２１、多重用制御信号生成部１２２、パラメタ信号生成部１２３、参照信号用制御信号生成部１２４、データ信号用制御信号生成部１２５、参照信号生成部１２６、データ生成部１２７および多重部１２８を備える。
【００２１】
情報処理部１２１は、受信部１１を介して端末２から受信した信号と、後述する上位レイヤ制御信号とに基づいて、多重用制御信号生成部１２２、パラメタ信号生成部１２３、参照信号用制御信号生成部１２４およびデータ信号用制御信号生成部１２５の各々に出力する制御信号を生成する。なお、本実施の形態では各送信レイヤの処理部１２が情報処理部１２１を個別に備えることとしたが、各送信レイヤに共通の単一の情報処理部１２１を備える構成としてもよい。すなわち、各送信レイヤの処理部１２の情報処理部１２１が行う処理をまとめて行う情報処理部を各処理部１２の外部に備え、この情報処理部が、各処理部１２の多重用制御信号生成部１２２、パラメタ信号生成部１２３、参照信号用制御信号生成部１２４およびデータ信号用制御信号生成部１２５に向けた制御信号を生成するようにしてもよい。
【００２２】
多重用制御信号生成部１２２は、情報処理部１２１から入力された制御信号に基づいて、多重部１２８に向けた制御信号を生成する。
【００２３】
パラメタ信号生成部１２３は、端末２がダウンリンクでの信号を受信する際に必要なパラメタを含んだ制御信号であるパラメタ信号を生成して多重部１２８へ出力する。パラメタ信号に含まれるパラメタは、たとえば、参照信号およびデータ信号の配置すなわち参照信号およびデータ信号がどの周波数においてどのタイミングで送信されるのかを示す。
【００２４】
参照信号用制御信号生成部１２４は、端末２へ送信する参照信号の種類を示す制御信号を生成して参照信号生成部１２６へ出力する。
【００２５】
データ信号用制御信号生成部１２５は、データ生成部１２７が生成するデータ信号のシンボル数を示す制御信号を生成してデータ生成部１２７へ出力する。
【００２６】
参照信号生成部１２６は、端末２が受信信号の復調処理で使用する参照信号としてＤＭＲＳを生成し、多重部１２８へ出力する。
【００２７】
データ生成部１２７は、端末２へ送信するデータ信号を生成して多重部１２８へ出力する。
【００２８】
多重部１２８は、パラメタ信号生成部１２３から入力されたパラメタ信号、参照信号生成部１２６から入力された参照信号およびデータ生成部１２７から入力されたデータ信号を時間および周波数上で多重して送信信号を生成し、プリコーディング部１３へ出力する。ここでの多重とは、時間および周波数で定義される特定の領域内にパラメタ信号、参照信号およびデータ信号を配置することをいう。時間および周波数で定義される特定の領域は、たとえば、３ＧＰＰにおいて規定されたリソースブロック（ＲＢ：Resource  Block）である。１ＲＢは、１２の周波数すなわち１２キャリアと７シンボルとで成り立つグループである。また、ＲＢは、端末２に対する通信リソースの最小割り当て単位であり、基地局１は、自セル内の各端末２に対して１つ以上のＲＢを割り当て、割り当てたＲＢを使用して各端末２へダウンリンクの信号を送信する。なお、ＲＢを端末２に割り当てるスケジュルは既存のどのような方法で行ってもよく、ここでは説明を省略する。
【００２９】
プリコーディング部１３は、各送信レイヤの処理部１２で生成された送信信号に対してプリコーディング処理を行い、プリコーディング処理後の信号を送信部１４へ渡す。プリコーディング処理は、複数のアンテナから送信する複数の信号に重み付け、位相回転および加算処理をすることによりビームを形成する処理を示す。これにより、プリコーディング部１３は、１つ以上の端末２に向けて送信する信号が空間多重される際の干渉を抑制する。なお、基地局１と通信を行う端末２が一時的に１つしかない場合もあるがこの場合もレイヤ多重に含める。
【００３０】
送信部１４は、図示を省略した複数のアンテナを有する。送信部１４は、プリコーディング部１３から受け取った信号に対して、マルチアンテナ送信処理および波形生成処理といった送信処理を行い、端末２へ送信する。波形整形処理の例として、ＯＦＤＭ処理がある。ＯＦＤＭ処理において、送信部１４は、ＩＤＦＴ（Inverse  Discrete  Fourier  Transform）処理およびＣＰ（Cyclic  Prefix）付加を実施する。
【００３１】
つづいて、図２に示した基地局１が端末２へ信号を送信する動作を説明する。端末２へ信号を送信する動作において、参照信号生成部１２６は、参照信号用制御信号生成部１２４から入力された制御信号が示す種類の参照信号を生成する。参照信号の種類については後述する。また、データ生成部１２７は、データ信号用制御信号生成部１２５から入力された制御信号が示すシンボル数のデータ信号を生成する。パラメタ信号生成部１２３は、情報処理部１２１から入力された制御信号に従いパラメタ信号を生成する。参照信号、データ信号およびパラメタ信号は多重部１２８に入力され、多重部１２８は、入力されたこれらの信号を、多重用制御信号生成部１２２から入力された制御信号に従いＲＢ内に配置する。
【００３２】
詳細については後述するが、本実施の形態にかかる通信システムにおいては、基地局１が端末２へ送信する参照信号の時間および周波数で定義されるある領域内における配置およびこの領域に含まれる参照信号のシンボル数が参照信号の種類によって異なる。これに伴い、時間および周波数で定義される領域に配置されるデータシンボルの数も異なる。そのため、基地局１において、参照信号用制御信号生成部１２４は、参照信号生成部１２６に対して、参照信号の種類を示す制御信号を出力する。また、データ信号用制御信号生成部１２５は、データ生成部１２７に対して、作成するデータシンボルの数を示す制御信号を出力する。また、端末２が信号を受信するためには参照信号およびデータ信号の配置を知る必要があるため、パラメタ信号生成部１２３は、参照信号およびデータ信号の配置を端末２に通知するための制御信号であるパラメタ信号を生成する。また、多重用制御信号生成部１２２は、多重部１２８に対して、参照信号、データ信号およびパラメタ信号の時間および周波数上の配置を示す制御信号を出力する。
【００３３】
なお、多重用制御信号生成部１２２、パラメタ信号生成部１２３、参照信号用制御信号生成部１２４およびデータ信号用制御信号生成部１２５が出力する上記の各制御信号は、情報処理部１２１が出力する制御信号に基づいて生成される。情報処理部１２１は、端末２からの受信信号に含まれる情報および上位レイヤから受け取る上位レイヤ制御信号に含まれる情報に基づいて、多重用制御信号生成部１２２、パラメタ信号生成部１２３、参照信号用制御信号生成部１２４およびデータ信号用制御信号生成部１２５の各々に出力する制御信号を生成する。すなわち、情報処理部１２１は、端末２へ送信する参照信号およびデータ信号の時間および周波数上の配置を決定し、決定結果すなわち各信号の配置を示す制御信号を、多重用制御信号生成部１２２およびパラメタ信号生成部１２３へ出力する。また、情報処理部１２１は、データ信号のシンボル数を示す制御信号をデータ信号用制御信号生成部１２５へ出力する。また、情報処理部１２１は、参照信号の種類を示す制御信号を参照信号用制御信号生成部１２４へ出力する。ここで、端末２からの受信信号に含まれる情報は、各送信レイヤの伝送路の状態を表す情報などであり、上位レイヤ制御信号に含まれる情報は、基地局１が受け持つセル以外の他のセルにおける参照信号の配置を示す情報などである。
【００３４】
多重用制御信号生成部１２２は、情報処理部１２１から入力された、参照信号およびデータ信号の時間および周波数上の配置を示す制御信号を、多重部１２８が解読可能な形式の制御信号に変換する。パラメタ信号生成部１２３は、情報処理部１２１から入力された、参照信号およびデータ信号の時間および周波数上の配置を示す制御信号を、端末２が解読可能な形式の制御信号すなわちパラメタ信号に変換する。参照信号用制御信号生成部１２４は、情報処理部１２１から入力された、参照信号の種類を示す制御信号を、参照信号生成部１２６が解読可能な形式の制御信号に変換する。データ信号用制御信号生成部１２５は、情報処理部１２１から入力された、データ信号のシンボル数を示す制御信号を、データ生成部１２７が解読可能な形式の制御信号に変換する。なお、多重用制御信号生成部１２２の機能、すなわち情報処理部１２１から入力された制御信号を解読する機能を多重部１２８が有するようにして、多重用制御信号生成部１２２が削除された構成としてもよい。同様に、参照信号用制御信号生成部１２４の機能を参照信号生成部１２６が有し、データ信号用制御信号生成部１２５の機能をデータ生成部１２７が有するようにして、参照信号用制御信号生成部１２４およびデータ信号用制御信号生成部１２５が削除された構成としてもよい。
【００３５】
図３は、参照信号、データ信号およびパラメタ信号を配置する領域を示す図である。図３に示した領域は、時間および周波数で定義される。また、図３は、時間方向に２つのＲＢを配置して構成された領域の例を示している。小さな四角形は１つのリソースエレメント（ＲＥ）を表し、各ＲＥにシンボルが割り当てられる。上述したように、１ＲＢは、１２キャリアと７シンボルとで成り立つ。
【００３６】
以下の説明において、ＲＥの配置を説明する場合、図３に示す座標を用いて説明する。座標は（周波数，時間）の順で示す。たとえば、図３において“Resource  Element”と矢印で示す位置は(0,1)となる。また、７シンボルで成り立つユニットをスロットと呼ぶ。上記のスケジュルを行う単位をスケジュル単位と呼び、本実施の形態ではスケジュル単位をスロット単位とする。
【００３７】
つづいて、本実施の形態にかかる基地局１が端末２へ送信する参照信号の配置について説明する。ここでは、参照信号がＤＭＲＳであるものとして説明を行う。
【００３８】
図４は、本実施の形態にかかる通信システムにおいて想定するＤＭＲＳの配置の例を示す図である。
【００３９】
図４は、周波数方向に３つのＲＢが配置された例を示している。図４に示した例において、１ＲＢ内で４つの黒塗りの部分に最大で４個のＤＭＲＳが多重される事を示す。黒塗りの部分に配置されるＤＭＲＳのシンボルとしては、ＰＮ（Pseudo  Noise）系列またはＺＣ（Zadoff  Chu）系列などが用いられる。ＰＮ系列が配置される場合は互いに直交するコードを用いて４ポート多重を実施する。なお、ポートは各送信レイヤに紐付けられ、其々の送信レイヤでは、他の送信レイヤでＤＭＲＳが割り当てられているポートとは異なるポートにＤＭＲＳを割り当てる。すなわち、ＤＭＲＳが割り当てられるポートは送信レイヤごとに異なる。ＤＭＲＳ同士が直交した関係になるので、受信側では送信レイヤの分離が可能となる。なお、通常は各端末に複数のポートが割り当てられ、複数レイヤの多重が可能となる。文献“D.C.Chu，“Polyphase  codes  with  good  periodic  correlation  properties”，IEEE  Transactions  on  Information  Theory，vol.18，no.4，Jul.  1972，pp.531-532.”に記載されているＺＣ系列をＤＭＲＳのシンボルに用いる場合、１ＲＢ内で多重される各ＤＭＲＳは、ＺＣ系列を巡回シフトさせて得られる系列を各ＤＭＲＳとして用いることにより多重される。たとえば、図４に示した第ｋリソースブロックである第ｋ番目のＲＢにおける(0,2),(3,2),(6,2),(9,2)に配置されるシンボルをｑ0,ｑ1,ｑ2,ｑ3とする。ＤＭＲＳのシンボルがＰＮ系列の場合、４ポートが多重されると想定すると、第１ポートに対応するＤＭＲＳは+ｑ0,+ｑ1,+ｑ2,+ｑ3、第２ポートに対応するＤＭＲＳは+ｑ0,-ｑ1,+ｑ2,-ｑ3、第３ポートに対応するＤＭＲＳは+ｑ0,+ｑ1,-ｑ2,-ｑ3、第４ポートに対応するＤＭＲＳは+ｑ0,-ｑ1,-ｑ2,+ｑ3となる。一方、ＺＣ系列を用いる場合、ｑ0,ｑ1,ｑ2,ｑ3がＺＣ系列とすると、第１ポートに対するＤＭＲＳはｑ0,ｑ1,ｑ2,ｑ3、第２ポートに対するＤＭＲＳはｑ1,ｑ2,ｑ3,ｑ0、第３ポートに対するＤＭＲＳはｑ2,ｑ3,ｑ0,ｑ1、第４ポートに対するＤＭＲＳはｑ3,ｑ0,ｑ1,ｑ2となる。
【００４０】
なお、図４に示した黒塗の部分にＤＭＲＳを配置する場合について説明したが、他の部分、具体的には、(1,2),(4,2),(7,2),(10,2)および(2,2),(5,2),(8,2),(11,2)にＤＭＲＳを配置するようにしてもよい。
【００４１】
また、各端末２に割り当てられるポート番号はＯＳＩ参照モデルのレイヤ１（Layer  1）において端末２に伝達されるＤＣＩ（Downlink  Control  Information）テーブルなどを用いて端末２に通知される。ＤＣＩテーブルは、文献「３ＧＰＰ  ＴＳ  ３６．２１２  Ｖ１４．０．０」で規定されており、図５に示した構成となる。各端末２に割り当てられるポート番号は、たとえば、図５に示したＤＣＩテーブルの各ポート番号に対する値（value）にて基地局１から各端末２へ通知される。
【００４２】
また、ＤＭＲＳを含むＯＦＤＭシンボルの位置はスロットの初めから３シンボル目に固定されているものとする。すなわち、ＤＭＲＳを含むＯＦＤＭシンボルのスロット内での位置はネットワーク内で固定されているものとする。これにより、端末２側ではスロット内の予め決められた位置すなわち初めから３シンボル目を調べる事で、ＤＭＲＳを検出できる。しかし、ＤＭＲＳを含むＯＦＤＭシンボルのスロット内での位置を固定とするのは必須ではなく、位置を変動させてもよい。その場合、基地局１のパラメタ信号生成部１２３は、ＤＭＲＳを含むＯＦＤＭシンボルの位置に関するパラメタを含んだパラメタ信号を生成し、多重部１２８へ出力する。位置に関するパラメタは、端末２がＤＭＲＳを含むＯＦＤＭシンボルの位置を特定可能な情報であればよい。すなわち、位置に関するパラメタは、位置を直接示す情報であってもよいし、スロット内の基準となる位置とのずれを表すオフセット情報などであってもよい。なお、図４に示したスロットの初めから１シンボル目および２シンボル目には制御信号またはデータ信号が挿入される。パラメタ信号は基地局１から端末２に向けて送信される制御信号の一種であり、スロットの初めから１シンボル目または２シンボル目に配置される。
【００４３】
図６は、本実施の形態にかかる通信システムにおいて使用するＤＭＲＳの配置の第１の例を示す図である。
【００４４】
図６に示した例において、ＤＭＲＳの配置はＲＢ単位で櫛状の配置となる。図６では、４ＲＢ分の配置の例を示している。なお、第ｋリソースブロックをｋ番目のリソースブロックと称する。第ｋ＋１リソースブロック〜第ｋ＋３リソースブロックについても同様とする。なおｋは規定された帯域内に収まる整数とする。例えば１から１００の間の整数としてもよい。
【００４５】
基地局１は、各端末２からの要求に応じて、使用するＲＢの数を決定する。なお、本実施の形態においては、基地局１が下り送信対象とする端末２を選択後、用いるＤＭＲＳを選択する。すなわち、本実施の形態においては、基地局１が、各端末２からの要求を受けると、図４に示す配置でＤＭＲＳを各端末２に割り振る。
【００４６】
図６に示した例では、ｋ番目のＲＢおよびｋ＋２番目のＲＢにＤＭＲＳを配置している。なお、図示したｋ番目〜ｋ＋３番目のＲＢが１台の端末２向けに確保されたと想定する。たとえば、ｋ番目からｋ＋３番目のＲＢが図１に示した端末２−１向けの信号送信で使用されるとした場合、端末２−１は、ｋ番目からｋ＋３番目のＲＢに含まれる参照信号、具体的にはｋ番目およびｋ＋２番目のＲＢに含まれる参照信号を用いて伝送路推定を行い、ｋ番目〜ｋ＋３番目のＲＢに含まれたデータ信号を復調する。なお、ＤＭＲＳが含まれていないｋ＋１番目およびｋ＋３番目のＲＢの先頭から３シンボル目にはデータシンボル、干渉測定用のゼロシンボル、伝送路推定用の参照信号であるＣＳＩ−ＲＳ（Channel  State  Information−Reference  Signal）、または位相補正用参照信号であるＰＴＲＳ（Phase  Tracking  Reference  Signal）などを配置してもよい。ＣＳＩ−ＲＳおよびＰＴＲＳは、３ＧＰＰで規定されている信号である。
【００４７】
図６に示したＤＭＲＳの配置を使用することにより、同一スロット内の一部のＲＢにＤＭＲＳが配置され、残りのＲＢにはＤＭＲＳが配置されない。よって、ＤＭＲＳの送信に使用するリソースエレメントの数を削減することができ、周波数利用効率が改善する。また、図６に示したような配置を使用することにより、他のセルからの干渉を回避する事も可能となる。たとえば、図７に示したような、隣接する２つのセルの各々に端末が存在し、それらの端末が物理的に近い位置にある場合、隣接するセルから各端末に到達する信号が干渉となる。図７は、通信システムの一例を示す図である。図７に示した例では、セルＢにおいて基地局Ｂが端末Ｂに向けて送信した信号は、隣接するセルＡにおいて基地局Ａと通信している端末Ａに対する干渉波となる。同様に、セルＡにおいて基地局Ａが端末Ａに向けて送信した信号は、隣接するセルＢにおいて基地局Ｂと通信している端末Ｂに対する干渉波となる。このような場合、隣接するセル同士でＤＭＲＳを含むＲＢが重ならないように設定すれば、セル間の干渉を回避できる。たとえば、図７に示した基地局Ａが図６に示した配置でＤＭＲＳを送信し、基地局Ｂが図８に示した配置でＤＭＲＳを送信するように設定すれば、セルＡとセルＢとの間で干渉が発生するのを回避できる。図８は、本実施の形態にかかる通信システムにおいて使用するＤＭＲＳの配置の第２の例を示す図である。図６に示した配置と図８に示した配置とを比較すると、ＤＭＲＳが存在するＲＢが異なっている。基地局Ａが端末Ａへ送信するＤＭＲＳが存在するＲＢと、基地局Ｂが端末Ｂへ送信するＤＭＲＳが存在するＲＢとが重なっていないため、端末Ａおよび端末Ｂは、基地局から受信したパラメタ信号が示すＲＢからＤＭＲＳを抽出し、伝送路推定およびデータ信号の復調を行えばよい。
【００４８】
なお、図６および図８に示した例では、２ＲＢおきにＤＭＲＳを配置することとしたが、ＤＭＲＳを配置する間隔すなわちＤＭＲＳの密度をこれに限定するものではない。たとえば、図９に示したように、３ＲＢおきにＤＭＲＳを配置するようにしてＤＭＲＳの密度を下げてもよい。図９は、本実施の形態にかかる通信システムにおいて使用するＤＭＲＳの配置の第３の例を示す図である。図９に示した例では、ｋ番目およびｋ＋３番目のＲＢにＤＭＲＳが存在し、他のＲＢにはＤＭＲＳが存在しない配置となっている。また、図６、図８および図９に示したようなＤＭＲＳの配置は、適応的に変更するようにしてもよい。たとえば、基地局１は、図６に示した配置と図８に示した配置とを適応的に変更してもよい。また、図６または図８に示した配置と図９に示した配置とを適応的に切り替え、ＤＭＲＳの配置および密度を変更してもよい。基地局１は、ＤＭＲＳの配置を適応的に切り替える場合、たとえば、上述したパラメタ信号を用いて、ＤＭＲＳの配置を端末２へ通知する。
【００４９】
基地局１は、ＤＭＲＳの配置を上位レイヤまたは下位レイヤを用いて端末２に通知してもよい。上位レイヤを使用する場合としては、たとえば、３ＧＰＰで規定されている、レイヤ３（Layer  3）のＲＲＣ（Radio  Resource  Control）を使用した情報伝達が該当する。すなわち、基地局１は、ＤＭＲＳの配置の情報をＲＲＣのメッセージに含めて端末２へ伝達することができる。また、下位レイヤを使用する場合としては、３ＧＰＰで規定されているＰＤＣＣＨ（Physical  Downlink  Control  Channel）の使用が該当する。ＰＤＣＣＨを使用する場合、ＤＭＲＳの配置の情報をパラメタ情報として定義し、基地局１は、ＤＭＲＳの配置の情報をパラメタ情報としてＰＤＣＣＨに含めて端末２へ送信する。ＰＤＣＣＨはレイヤ１（Layer  1）の情報を伝送するための制御チャネルである。また、基地局１は、ＭＡＣ（Medium  Access  Control）レイヤなどを用いて、すなわち、レイヤ２（Layer  2）で伝送される、３ＧＰＰにおけるＭＡＣ  ＣＥ（Control  Element）を用いて、ＤＭＲＳの配置の情報を端末２へ伝達するようにしてもよい。また、ＤＭＲＳの配置の情報が長期間変わらないパラメタであれば、３ＧＰＰにおけるレイヤ３またはレイヤ２の制御信号として、ＤＭＲＳの配置の情報が基地局１から端末２へ送信されてもよい。ＤＭＲＳの配置の情報が短期間で変わるパラメタであれば、３ＧＰＰにおけるレイヤ１の制御信号を用いて伝達すればよい。前述の通り、ポート番号の通知のために、図５に示したＤＣＩテーブルなどが用いられ、ＤＣＩテーブルに記載されたポート番号に対する番号がレイヤ１の送信信号に含まれる。
【００５０】
基地局１がＤＭＲＳの配置を端末２に通知する方法の例を説明する。基地局１から端末２へのＤＭＲＳの配置の通知は、たとえば、上位レイヤまたは下位レイヤで送信する制御信号の特定のメッセージ内にDMRS_RB_DENSITYというフィールドを設定し、DMRS_RB_DENSITY=｛0,1,2｝のように定義した情報を使用して行う。この場合、たとえば、DMRS_RB_DENSITY=0であれば全てのＲＢにＤＭＲＳが配置され、DMRS_RB_DENSITY=1であれば図６のように２シンボルおきにＤＭＲＳが配置され、DMRS_RB_DENSITY=2であれば図９のように３シンボルおきにＤＭＲＳが配置されることを意味する。
【００５１】
オフセットを使用してＤＭＲＳの配置を指示するようにしてもよい。オフセットを使用する場合、図８に示したような、図６に示した配置と比べて１ＲＢだけずれた配置を表すパラメタとなる。基地局１から端末２へのＤＭＲＳの配置の通知は、たとえば、上位レイヤまたは下位レイヤで送信する制御信号の特定のメッセージ内に、上記のDMRS_RB_DENSITYというフィールドに加えて、さらに、DMRS_RB_OFFSETというフィールドを設定し、DMRS_RB_OFFSET=｛0,1｝のように定義した情報を使用して行う。この場合、DMRS_RB_DENSITY=1とし、かつDMRS_RB_OFFSET=0であれば図６に示したＤＭＲＳの配置を表し、DMRS_RB_DENSITY=1とし、かつDMRS_RB_OFFSET=1であれば、図８に示したような、図６に示した配置と比べて１ＲＢだけずれた配置を表すようにすることが可能である。たとえば、図７に示した通信システムにおいて、基地局Ａが、ＲＲＣを使用して、上述したDMRS_RB_DENSITY=1,DMRS_RB_OFFSET=0を端末Ａに通知し、基地局Ｂが、上述したDMRS_RB_DENSITY=1,DMRS_RB_OFFSET=1を端末Ｂに通知する。DMRS_RB_DENSITYといったパラメタの名称は仮の名称であり、パラメタの名称をこれらに限定するものではない。
【００５２】
なお、ＤＭＲＳの配置の設定で使用する上記のオフセットは、偶数または奇数といった、ＲＢの配置に関連する情報としてもよい。たとえば、DMRS_RB_TYPE=｛0,1｝と定義し、DMRS_RB_TYPE=0であればＲＢ番号が奇数の位置にＤＭＲＳが配置され、DMRS_RB_TYPE=1であればＲＢ番号が偶数の位置にＤＭＲＳが配置されることとする。ここでのＲＢ番号とは、図４に示したｋ，ｋ＋１，ｋ＋２が該当する。
【００５３】
たとえば、ｍを周波数上の位置とすると、図４に示したＤＭＲＳ配置の黒塗りのＤＭＲＳシンボルは、以下のように表すことが可能である。なお、ｍ’は、第ｋ番目のリソースブロックの先頭の周波数インデックスとする。
ｍ＝ｍ’＋１２ｎ＋０
ｍ＝ｍ’＋１２ｎ＋３
ｍ＝ｍ’＋１２ｎ＋６
ｍ＝ｍ’＋１２ｎ＋９
ｎ＝０，１，２
【００５４】
オフセットを与える場合は、以下のように表示できる。「１２＊ｖｓｈｉｆｔ」がオフセットを表す。
ｍ＝ｍ’＋１２ｎ＋０＋１２＊ｖｓｈｉｆｔ
ｍ＝ｍ’＋１２ｎ＋３＋１２＊ｖｓｈｉｆｔ
ｍ＝ｍ’＋１２ｎ＋６＋１２＊ｖｓｈｉｆｔ
ｍ＝ｍ’＋１２ｎ＋９＋１２＊ｖｓｈｉｆｔ
ｎ＝０，１，２
【００５５】
なお、図６のように２ＲＢにＤＭＲＳを配置する場合はｖｓｈｉｆｔ＝｛０，１｝となる。また、ｖｓｈｉｆｔは上位レイヤによって設定されるセルＩＤなどによって導出されてもよい。たとえば、Ｎ＿ｃｅｌｌＩＤをセルＩＤであり整数とすると、「ｖｓｈｉｆｔ＝Ｎ＿ｃｅｌｌＩＤ  ｍｏｄ  ２」のように導出されてもよい。
【００５６】
また、図７に示した通信システムにおいてセル間の干渉を回避する方法として、隣接するセルで異なるＤＭＲＳの配置を使用する方法を説明したが、各セルでＤＭＲＳの配置を同じにしても干渉を回避することが可能である。各セルでＤＭＲＳの配置を同じとする場合には、セルＡで使用するＺＣ系列とセルＢで使用するＺＣ系列とでパラメタを変える。たとえば、Ｎを偶数とすると、Ｎシンボル長のＺＣ系列は以下の式（１）によって定義される。
【００５７】
【数１】
2018198287.tif 000003
【００５８】
そしてｋ＝０，１，…，Ｎ−１とする。ＭはＮに対して互いに素である必要がある。たとえば、Ｎ＝１０の場合Ｍは１，３，５，７，９となる。
【００５９】
また、Ｎを奇数とすると、Ｎシンボル長のＺＣ系列は以下の式（２）によって定義される。
【００６０】
【数２】
2018198287.tif 000004
【００６１】
また、ＺＣ系列の系列数をＮ、ＤＭＲＳを配置することに決定されたＲＢにおいてＤＭＲＳが配置されるＲＥの数をＸとし、Ｎ＜Ｘである場合、不足分のＸ−Ｎ個のＺＣ系列をｒnとすると、「ｒn＝ａn  mod  Ｎ」として求める。すなわち、ａkを巡回シフトさせて不足分の系列を生成してもよい。
【００６２】
Ｍが異なるａkの系列は直交関係ではないが、相関値が低い性質がある。そのため、異なるセルの基地局が異なるＭを用いて式（１）に従ってＺＣ系列を生成し、これをＤＭＲＳとして使用すれば、隣接するセルにおいて同じＤＭＲＳの配置を使用したとしても、お互い干渉要素とはならない。
【００６３】
また、前述の通り、同じＭを使う系列でも、お互い異なる巡回シフトが与えられれば直交関係になるので、巡回シフトパラメタをセル間で変えてもよい。時間上の巡回シフトは周波数上における位相回転により発生させる事ができるので、セル間で巡回シフトパラメタを交換する際、周波数領域における位相回転量を通知して行ってもよい。３ＧＰＰが適用された通信システムでは、アップリンク通信にてＺＣ系列が用いられるが、周波数領域にて位相回転が与えられる。また、ＺＣ系列を用いる場合、上記の式（１）または式（２）を用いてＺＣ系列を生成する際に必要な上記のＭを、セルＩＤに基づいて導出してもよい。
【００６４】
なお、隣接するセル間でＤＭＲＳの位置が同じ場合にＺＣ系列をＤＭＲＳとして使用してセル間の干渉を回避する方法を説明したが、ＰＮ系列をＤＭＲＳとして使用してセル間の干渉を回避することも可能である。すなわち、隣接するセル間で同じＲＢの同じ位置に直交関係にあるＰＮ系列を配置すればよい。なお、本実施の形態では、ＰＮ系列生成用のパラメタおよびＺＣ系列生成用のパラメタは端末２毎に設定できることを想定したが、参照信号生成部１２６がＰＮ系列の生成で使用するシフトレジスタに与えるパラメタをセル毎に変えてもよい。その場合、セルＩＤを用いてＰＮ系列生成用のパラメタを導出してもよい。ＰＮ系列生成用のパラメタの例は、ＰＮ系列生成用のシフトレジスタの初期値である。セルＩＤを用いてシフトレジスタの初期値を導出すればセル間のＰＮ系列の相関が低くなる。また、ＰＮ系列を用いる場合、ＰＮ系列に巡回シフトを与えて生成した系列を各ポートで使用してもよい。
【００６５】
なお、本実施の形態では、ＤＭＲＳを含むＯＦＤＭシンボルの数が１ＲＢあたり１シンボルの場合の例について説明したが、１ＲＢあたりのＤＭＲＳを含むＯＦＤＭシンボルの数を複数としてもよい。たとえば、図１０に示したように、ＤＭＲＳが配置されるＲＢは、時間領域に分散したＤＭＲＳを含んでもよい。図１０は、本実施の形態にかかる通信システムにおいて使用するＤＭＲＳの配置の第４の例を示す図である。
【００６６】
つづいて、基地局１がＤＭＲＳの配置を決定する動作について説明する。図１１は、基地局１がＤＭＲＳの配置を決定する動作の一例を示すシーケンス図である。
【００６７】
ＤＭＲＳの配置を決定する場合、基地局１は、まず、ダウンリンクの伝送路の状態を表す伝送路情報の通知を端末２から受け（ステップＳ１１）、伝送路情報を、図２では記載を省略している記憶部に保存する（ステップＳ１２）。基地局１は、次に、端末２から通知された伝送路情報に基づいてＤＭＲＳの配置を決定する（ステップＳ１３）。ＤＭＲＳの配置は基地局１の情報処理部１２１が決定する。基地局１の情報処理部１２１は、たとえば、端末２に割り当てた各ＲＢの間で伝送路状態の差が小さい場合、具体的には、周波数軸方向に連続する複数のＲＢの各々における伝送路状態に大きな差が無い場合、ＤＭＲＳを配置するＲＢの数が少なくなるように、ＤＭＲＳの配置を決定する。ＤＭＲＳの配置は、予め決定されている複数の配置パターンの中から選択する。また、情報処理部１２１は、一部のＲＢにＤＭＲＳを配置している状態、たとえば図９に示したような、２ＲＢおきにＤＭＲＳを配置している状態において、ＤＭＲＳが配置されている各ＲＢの伝送路状態の差が大きい場合、ＤＭＲＳを配置するＲＢの数が多くなるように、ＤＭＲＳの配置を決定する。この場合、情報処理部１２１は、たとえば、図６に示した配置に決定する。予め決定されている複数の配置パターンは、端末２ごとに異なっていてもよい。
【００６８】
基地局１は、ＤＭＲＳの配置を決定すると、ＤＭＲＳの配置を端末２へ通知する（ステップＳ１４）。ＤＭＲＳの配置の通知は、上述したように、ＤＭＲＳを送信するＲＢの位置を直接示すパラメタを使用して行ってもよいし、ＤＭＲＳを送信するＲＢの位置を間接的に示すパラメタを使用して行ってもよい。また、基地局１は、上述した、レイヤ１、レイヤ２またはレイヤ３を使用した方法により、ＤＭＲＳの配置を端末２へ通知する。
【００６９】
図１１に示したシーケンスでは、基地局１は端末２から取得した情報を使用してＤＭＲＳの配置を決定することとしたが、基地局１は、端末２から取得した情報に加えて、他の基地局から取得した情報も使用してＤＭＲＳの配置を決定するようにしてもよい。この場合のシーケンスを図１２に示す。図１２は、基地局１がＤＭＲＳの配置を決定する動作の他の例を示すシーケンス図である。図１２では、図７に示した通信システムの基地局Ａが、端末Ａから取得した情報および基地局Ｂから取得した情報に基づいてＤＭＲＳの配置を決定する動作のシーケンスを示している。
【００７０】
図１２に示したシーケンスに従ってＤＭＲＳの配置を決定する場合、基地局Ａは、まず、ダウンリンクの伝送路の状態を表す伝送路情報の通知を端末Ａから受け（ステップＳ２１）、伝送路情報を、図２では記載を省略している記憶部に保存する（ステップＳ２２）。これらのステップＳ２１およびＳ２２の動作は図１１に示したステップＳ１１およびＳ１２の動作と同様である。
【００７１】
基地局Ａは、次に、基地局Ｂに対してＤＭＲＳ情報をリクエストする（ステップＳ２３）。ＤＭＲＳ情報とは、ＤＭＲＳが送信されるＲＢの配置の情報であり、ここでは、基地局ＢがセルＢ内の端末Ｂに向けてＤＭＲＳを送信するＲＢの配置を表す情報である。すなわち、ＤＭＲＳ情報は、隣接するセルＢにおけるＤＭＲＳの送信で使用されるＲＢの情報である。
【００７２】
基地局ＡからＤＭＲＳ情報のリクエストを受けた基地局Ｂは、ＤＭＲＳ情報を基地局Ａへ送信する（ステップＳ２４）。なお、セルＢに複数の端末が存在する場合、基地局Ｂは、セルＡとの境界に違い位置に存在している端末についてのＤＭＲＳ情報だけを送信してもよいし、セルＢに存在している全ての端末についてのＤＭＲＳ情報を送信してもよい。基地局Ｂは、セルＡとの境界に違い位置に存在している端末についてのＤＭＲＳ情報だけを送信する場合、各端末の位置情報に基づいて該当する端末を特定し、特定した端末へのＤＭＲＳの送信で使用しているＲＢの配置を表すＤＭＲＳ情報を送信する。基地局Ｂは、全ての端末についてのＤＭＲＳ情報を送信する場合、各端末のＤＭＲＳ情報に加えて、各端末の位置情報も一緒に送信する。
【００７３】
基地局Ａは、基地局ＢからＤＭＲＳ情報を受信すると、ステップＳ２１で端末Ａから取得した伝送路情報と、基地局Ｂから取得したＤＭＲＳ情報とに基づいて、ＤＭＲＳの配置を決定する（ステップＳ２５）。たとえば、基地局Ａは、図１１に示したステップＳ１３の処理と同様の方法で、ＤＭＲＳを配置するＲＢの数を決定し、さらに、基地局Ｂから取得したＤＭＲＳ情報が表すＤＭＲＳの配置と重ならないように、端末ＡへＤＭＲＳを送信するＲＢの配置を決定する。
【００７４】
基地局Ａは、ＤＭＲＳの配置を決定すると、ＤＭＲＳの配置を端末Ａへ通知する（ステップＳ２６）。このステップＳ２６の処理は、図１１に示したステップＳ１４の処理と同様の処理である。
【００７５】
なお、基地局ＡがステップＳ２４で取得するＤＭＲＳ情報は、セルＢでＤＭＲＳとして使用されている系列、すなわちＰＮ系列，ＺＣ系列の情報を含んでいてもよい。ＤＭＲＳ情報が、ＤＭＲＳとして使用されている系列の情報を含む場合、基地局Ａは、セルＢでＤＭＲＳとして使用されている系列と干渉しない系列を生成し、端末Ａへ送信するＤＭＲＳとして使用してもよい。
【００７６】
また、図１２に示したシーケンスに従ってＤＭＲＳの配置を決定する動作では、端末Ａから取得した伝送路情報および基地局Ｂから取得したＤＭＲＳ情報に基づいて基地局ＡがＤＭＲＳの配置を決定することとしたが、ＤＭＲＳ情報のみに基づいてＤＭＲＳの配置を決定するようにしてもよい。この場合、基地局Ａは、基地局Ｂから端末ＢへのＤＭＲＳの送信で使用されていないＲＢを使用して端末ＡへＤＭＲＳが送信されるよう、ＤＭＲＳの配置を決定する。または、基地局Ａは、基地局Ｂが端末Ｂへ送信するＤＭＲＳとの相関が低い系列をＤＭＲＳとして使用することに決定する。伝送路情報を使用せずにＤＭＲＳの配置を決定する場合には、図１２に示したＳ２１およびＳ２２を省略してもよい。
【００７７】
つづいて、本実施の形態にかかる通信システムで使用可能なＤＭＲＳの配置のバリエーションについて説明する。本実施の形態では、ＤＭＲＳのＲＢ内での配置パターンを固定とした場合について説明したが、配置パターンは固定しなくてもよい。たとえば、図１３に示したように、ＤＭＲＳの配置パターンをＲＢごとに変更してもよい。図１３は、本実施の形態にかかる通信システムにおいて使用するＤＭＲＳの配置の第５の例を示す図である。図１３に示した例では、ｋ番目のＲＢでは４つのＤＭＲＳを３周波数おきに等間隔に配置するパターンとし、ｋ＋２番目のＲＢでは４つのＤＭＲＳを２つずつに分け、それぞれを５周波数おきに配置するパターンとしている。図１３に示した配置パターンは一例であり、他の配置パターンとしてもよい。他の配置パターンの例を図１４に示す。図１４は、ＲＢ内のＤＭＲＳの配置パターンの例を示す図である。また、他の配置パターンとして図１５に示したものを使用してもよい。なお、図１４は、１ＯＦＤＭシンボル内に設定されるＤＭＲＳの配置パターンのみを示す。図１５に示すように、ＤＭＲＳが配置されるＯＦＤＭシンボル内のＲＥを全て使う必要はなく、ＤＭＲＳをＯＦＤＭシンボル内の一部のＲＥに配置するパターンを用意してもよい。また、図１４の上段の真ん中のＤＭＲＳ配置例にて、ＰＮ系列を用いた場合、ＤＦＴ（Discrete  Fourier  Transform）ベクトルを用いて、多重が可能となる。例えば、（０，２）、（４，２）、（８，２）において配置されるシンボルをｑ0、ｑ1、ｑ2とする。ＤＦＴベクトルの要素を各シンボルに乗算することで、最大３送信レイヤ多重が可能となる。WN=ej2π/Nとする。そして、WNmk=ej2πmk/Nとする。前述の例において、第１ポートに対応するＤＭＲＳはｑ0、ｑ1、ｑ2となる。第２ポートに対応するＤＭＲＳはｑ0、Ｗ3-1*ｑ1、Ｗ3-2*ｑ2となる。そして、第３ポートに対応するＤＭＲＳはｑ0、Ｗ3-2*ｑ1、Ｗ3-4*ｑ2となる。ＤＦＴベクトルは直交関係になるので、各ポートのＤＭＲＳシンボルも直交する。一般に、Ｍ個のＲＥが用いられる場合、最大Ｍ個の送信レイヤが多重となるので、第ｍ番目のポートのｋ番目のＤＭＲＳシンボルに対する処理はＷM-k(m-1)*ｑkとなり、０≦ｋ≦Ｍ−１、１≦ｍ≦Ｍとなる。
【００７８】
また、本実施の形態にかかる通信システムでは、ＤＭＲＳを含む１ＯＦＤＭシンボルにおいてサポートするポートを１２としたがこれに限定されない。ポート数は１２である必要は無く、２つのＯＦＤＭシンボルを用いて１２ポートをサポートしてもよい。たとえば、ＤＭＲＳが配置されている２つのＯＦＤＭシンボルのうち、最初のＯＦＭＤシンボルでポート番号０〜５をサポートし、２番目のＯＦＤＭシンボルでポート番号６〜１１をサポートしてもよい。すなわち、最初のＯＦＤＭシンボルにポート番号０〜ポート番号５の各々に対応するＤＭＲＳを配置し、２番目のＯＦＤＭシンボルにポート番号６〜ポート番号１１の各々に対応するＤＭＲＳを配置するようにしてもよい。ポート番号０〜１１の各々に対応するＤＭＲＳを２つのＯＦＤＭシンボルに配置する場合の例を図１６に示す。図１６に示した例では、３番目のＯＦＤＭシンボルに対してポート番号０〜ポート番号５のＤＭＲＳが配置され、４番目のＯＦＤＭシンボルに対してポート番号６〜ポート番号１１のＤＭＲＳが配置される。具体的には、３番目のＯＦＤＭシンボルの黒塗り部分のＲＥに対して、ポート番号０〜ポート番号２のＤＭＲＳが配置され、斜線部分のＲＥに対して、ポート番号３〜ポート番号５のＤＭＲＳが配置される。また、３番目のＯＦＤＭシンボルの黒塗り部分のＲＥに対して、ポート番号６〜ポート番号８のＤＭＲＳが配置され、斜線部分のＲＥに対して、ポート番号９〜ポート番号１１のＤＭＲＳが配置される。
【００７９】
また、１スロット内で複数のＯＦＤＭシンボルにＤＭＲＳが配置される場合、ＯＦＤＭシンボル毎にＤＭＲＳの配置パターンを変更してもよい。この場合、基地局１は、配置パターンの設定情報をレイヤ１にて端末２へ通知する。
【００８０】
つづいて、プリコーディング部１３が実行するプリコーディング処理について説明する。プリコーディング処理ではプリコーディング行列を使用するが、プリコーディング行列はダウンリンクの伝送路に依存する。そのため、基地局１は、端末２における伝送路の推定結果を表す伝送路情報を端末２から取得し、取得した伝送路情報を使用してプリコーディング行列を算出する必要がある。端末２に複数のＲＢが割り当てられる場合、各ＲＢにおける伝送路の周波数選択性が異なる可能性があるため、基地局１は、ＲＢごとに異なるプリコーディング行列を算出する。しかし、複数ＲＢに渡って、周波数における伝送路の状況が変わらない場合、すなわち、伝送路の周波数選択性が複数のＲＢにわたって変わらない場合、３ＧＰＰで規定されているphysical  RB(PRB)  bundlingと呼ばれる技術を使用することができる。このPRB  bundlingでは、複数のＲＢ間で同じプリコーディング行列を用いてプリコーディングを行う。PRB  bundlingにて同じプリコーディングが用いられると想定されるＲＢの数は、３ＧＰＰにおいてＰＲＧｓ（Precoding  Resource  block  Groups）と呼ばれている。
【００８１】
本実施の形態で説明した、ＤＭＲＳを送信するＲＢの配置を適応的に変更する制御は、PRB  bundlingが適用された通信システムにおいても実施することが可能である。
【００８２】
本実施の形態にかかる通信システムでは、PRB  bundlingを行う場合、たとえば、上位レイヤから上位レイヤ制御信号にて、PRB  bundlingがＯＮすなわちPRB  bundlingを行うことが基地局１の情報処理部１２１に通知される。情報処理部１２１は、PRB  bundlingを行うことが通知された場合、ＤＭＲＳの配置を、予め決められている複数の配置の中の一つに設定する。なお、本実施の形態にかかる通信システムでPRB  bundlingを行う場合、上述したパラメタのうち、DMRS_RB_DENSITYは、ＰＲＧｓが２の倍数の時はDMRS_RB_DENSITY=1が選択可能であり、ＰＲＧｓが３の倍数の時はDMRS_RB_DENSITY=2が選択可能である。
【００８３】
PRB  bundlingを行う場合、PRB  bundlingで使用するＲＢの位置も上位レイヤから基地局１の情報処理部１２１に通知されることとする。たとえば、１００ＲＢがPRB  bundlingのために用意されている場合、ＲＢの位置を０から９９までの数値で通知する。また、PRB  bundlingを行わない場合に限定して本実施の形態にかかるＤＭＲＳの配置、具体的には図６、図８、図９などに示した配置を用いるようにしてもよい。PRB  bundlingが設定されない場合でも、DMRS_RB_DENSITYおよびDMRS_RB_OFFSETといった上記のパラメタは上述の通り設定される。そして、ＰＲＧに関する制約は無い。なお、DMRS_RB_DENSITYおよびDMRS_RB_OFFSETは上位レイヤにて基地局１から端末２へ通知されてよい。また、DMRS_RB_DENSITYおよびDMRS_RB_OFFSETは、レイヤ１あるいはレイヤ２で端末２へ通知されてもよい。また、DMRS_RB_DENSITYのみを上位レイヤで端末２へ通知し、DMRS_RB_OFFSETはレイヤ１で端末２へ通知してもよい。
【００８４】
以上のように、本実施の形態にかかる通信システムにおいて、基地局１は、端末２との間のダウンリンクの伝送路の状態を表す伝送路情報および隣接するセルでＤＭＲＳが送信されるＲＢの配置を表すＤＭＲＳ情報の少なくとも一方に基づいて、ＤＭＲＳを送信するＲＢを決定する。これにより、ＤＭＲＳを送信するＲＢの位置と、ＤＭＲＳを送信するＲＢの密度とを適応的に変化させることができ、通信品質および伝送効率が低下するのを抑制できる。
【００８５】
次に、本実施の形態にかかる基地局１のハードウェア構成について説明する。図２に示した基地局１の構成要素のうち、ソフトウェアにより実現される構成要素は、たとえば、図１７に示す制御回路により実現される。図１７は、基地局１の構成要素をソフトウェアで実現する場合に使用する制御回路１００の構成例を示す図である。図１７に示すように、制御回路１００は、外部から入力されたデータを受信する受信部である入力部１０１と、プロセッサ１０２と、メモリ１０３と、データを外部へ送信する送信部である出力部１０４とを備える。入力部１０１は、制御回路１００の外部から入力されたデータを受信してプロセッサ１０２に与えるインターフェース回路であり、出力部１０４は、プロセッサ１０２又はメモリ１０３からのデータを制御回路１００の外部に送るインターフェース回路である。図２に示す構成要素のうち少なくとも一部が、図１７に示す制御回路１００により実現される場合、プロセッサ１０２が、メモリ１０３に記憶された、ソフトウェアにより実現される各々の構成要素に対応するプログラムを読み出して実行することにより実現される。また、メモリ１０３は、プロセッサ１０２が実施する各処理における一時メモリとしても使用される。
【００８６】
プロセッサ１０２は、ＣＰＵ（Central  Processing  Unit、中央処理装置、処理装置、演算装置、マイクロプロセッサ、マイクロコンピュータ、プロセッサ、ＤＳＰ（Digital  Signal  Processor）ともいう）等である。メモリ１０３は、たとえば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read  Only  Memory）等の、不揮発性または揮発性の半導体メモリ、磁気ディスク、フレキシブルディスク、光ディスク、コンパクトディスク、ミニディスク、ＤＶＤ（Digital  Versatile  Disk）等が該当する。
【００８７】
また、基地局１の構成要素のうち、専用のハードウェアで実現される構成要素は、たとえば、図１８に示す構成の回路により実現される。図１８は、基地局１の構成要素を専用のハードウェアで実現する場合に使用する専用回路１００ａの構成例を示す図である。図１８に示すように、専用回路１００ａは、図１７に示した制御回路１００のプロセッサ１０２が処理回路１０５に置き換えられたものである。処理回路１０５は、たとえば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものである。
【００８８】
なお、端末２についても同様のハードウェアにて実現することができる。また、実施の形態２以降で説明する基地局および端末も同様のハードウェアにて実現することができる。
【００８９】
実施の形態２．
図１９は、実施の形態２にかかる端末の構成例を示す図である。図１９に示した端末２は、図１に示した端末２−１〜２−ｎであり、実施の形態１で説明した基地局１から送信されたダウンリンクの信号を受信する受信装置に相当する。
【００９０】
端末２は、受信処理部２１および復調部２２を備える。受信処理部２１は、基地局１から受信した信号からＣＰを除去しマルチパス干渉除去を行う処理、周波数領域変換処理としてのＤＦＴ（Discrete  Fourier  Transform）などを実施する。復調部２２は、伝送路推定およびレイヤ毎の復調処理を行う。このとき、復調部２２は、受信信号に含まれるＤＭＲＳを使用して伝送路推定を行い、伝送路の推定結果を使用して受信信号に含まれるデータを復調する。ＤＭＲＳが配置されているＲＢの情報である参照信号情報は、実施の形態１で説明したパラメタに相当し、レイヤ１、レイヤ２またはレイヤ３を使用して基地局１から端末２へ通知される。端末２に通知された参照信号情報は、最終的に復調部２２へ入力される。復調部２２は、参照信号情報に基づいて、受信信号に含まれるＤＭＲＳの位置を特定する。参照信号情報は、ポート番号、オフセット値およびＤＭＲＳの密度といった情報を含む。なお、受信処理部２１において干渉除去を行うようにしてもよい。干渉除去を行う場合、受信処理部２１は、ＩＲＣ（Interference  Rejection  Combining）法などの手法を用いて干渉を除去する。
【００９１】
このように、本実施の形態にかかる端末２は、実施の形態１にかかる基地局１が送信したダウンリンク信号に含まれるＤＭＲＳを使用して、伝送路の推定およびデータ信号の復調を行う。
【００９２】
実施の形態３．
実施の形態１では、前述の課題を解決するため、端末毎にＤＭＲＳを設定する方法を開示した。本実施の形態では他の方法を開示する。なお、通信システムの構成および基地局の構成は実施の形態１と同様とする。
【００９３】
本実施の形態にかかる通信システムでは、ＤＭＲＳを含むＲＢの配置をセル毎に設定する。たとえば、セル毎のＲＢ間のＤＭＲＳの配置を、実施の形態１で説明した櫛状の配置に設定する。なお、説明を簡単化するため、１つの基地局が１つのセルを形成するものとして説明を行う。
【００９４】
セル毎にＤＭＲＳを配置するＲＢを設定する例について、図６を用いて説明する。図６では、ＤＭＲＳをＲＢ単位で櫛状に配置している。本実施の形態にかかる通信システムでは、各セルでＤＭＲＳを配置するリソース、すなわちＲＢおよびＲＥを予め設定しておく。このようにすることで、セル毎にＤＭＲＳが配置されないリソースを設けることが可能となる。ＤＭＲＳが配置されないリソースを他の信号あるいは他のチャネルに使用することが可能となるため、周波数利用効率を向上させることが可能となる。
【００９５】
以下、セル毎にＤＭＲＳ配置を設定する方法について説明する。まず、本実施の形態にかかる通信システムにおいてＤＭＲＳの配置を設定する際に使用する情報について説明する。ＤＭＲＳの配置を設定する際に使用する情報としては以下に示す（１−１）〜（１−４）の４つを例示できる。
（１−１）ＤＭＲＳを配置するＲＢの番号（ＲＢ番号）
（１−２）ＤＭＲＳを配置するＲＢの先頭の番号
（１−３）ＤＭＲＳを配置するＲＢの密度（ｄ）
（１−４）（１−１）から（１−３）の組み合わせ
【００９６】
なお、（１−２）については、ＲＢの先頭の番号に代えてオフセットとしてもよい。また、オフセットをCELL_DMRS_RB_OFFSETのようなフィールドで設定してもよい。たとえば、CELL_DMRS_RB_OFFSET=｛0,1｝として、CELL_DMRS_RB_OFFSET=0の場合は最小のＲＢ番号である０とし、CELL_DMRS_RB_OFFSET=1の場合は次のＲＢ番号である１と設定されるようにしてもよい。
【００９７】
また、（１−３）については、ｄをCELL_DMRS_RB_DENSITYのようなフィールドで設定してもよい。たとえば、CELL_DMRS_RB_DENSITY=｛0,1,2｝として、CELL_DMRS_RB_DENSITY=0の場合は櫛状の設定無し、CELL_DMRS_RB_DENSITY=1の場合は２シンボルおき、CELL_DMRS_RB_DENSITY=2の場合は３シンボルおきにＤＭＲＳを設定するようにしてもよい。
【００９８】
本実施の形態にかかる通信システムでは、たとえば、セル毎に、上記（１−１）の「ＤＭＲＳを配置するＲＢ番号」を設定することで、ＤＭＲＳを設けるＲＢ番号が特定される。また、たとえば、セル毎に、上記（１−２）の「ＤＭＲＳを配置するＲＢの先頭の番号」および上記（１−３）の「ＤＭＲＳを配置するＲＢの密度」を設定することで、ＤＭＲＳを設けるＲＢ番号が特定される。
【００９９】
また、ＤＭＲＳをセルの全帯域に同じパターンで配置するのではなく、特定の帯域内でＤＭＲＳを配置するＲＢを設定してもよい。なお、特定の帯域を複数セット設けてもよい。特定の帯域を用いる例として、帯域ごとに異なるサービスを提供する例がある。
【０１００】
特定の帯域を設定するための情報としては以下に示す（２−１）〜（２−４）の４つを例示できる。
（２−１）特定の帯域を開始するＲＢの番号
（２−２）特定の帯域を終了するＲＢの番号
（２−３）特定の帯域のＲＢ数
（２−４）特定の帯域の数
【０１０１】
なお、（２−４）については、特定の帯域のセット数としてもよい。特定の帯域内の設定は、前述したＤＭＲＳ配置を設定するための情報を用いて設定すればよい。このようにすることで、セルの全帯域が同じＤＭＲＳ配置ではなく、異なるＤＭＲＳ配置とすることが可能となる。このため、たとえば、サービス毎に用いられる周波数帯域が異なるような場合に、サービス毎に異なるＤＭＲＳ配置にできる。
【０１０２】
本実施の形態にかかる通信システムでは、セル毎のＲＢ間のＤＭＲＳの配置は固定とする。
【０１０３】
また、セル毎のＲＢ間のＤＭＲＳの配置を規格等で静的に決めておいてもよい。たとえば、規格等で、セルの識別子と、ＤＭＲＳ配置を設定するための情報と特定の帯域を設定するための情報とを関連付けて決めておく。このようにすることで、ＲＢ間のＤＭＲＳの配置を櫛状にでき、周波数利用効率を向上させることが可能となる。
【０１０４】
また、このように決めておくことで、端末がセルの識別子を認識した場合、該セルのセル毎のＲＢ間のＤＭＲＳの配置を導出することが可能となる。端末がセルの識別子を認識する方法として、セルの識別子と関連づけられている信号あるいはチャネルを受信して導出してもよい。たとえば、３ＧＰＰにて用いられるSynchronization  Signal（ＳＳ）を受信して導出すればよい。このようにすることで、端末がセル毎のＲＢ間のＤＭＲＳの配置を認識することが可能となる。端末は該ＤＭＲＳをデータの復調時に利用できる。
【０１０５】
なお、ＤＭＲＳを配置するＲＢをセル毎としたが、全セルで同じとしてもよい。また、ひとつまたは複数のセルをグループとし、グループ毎にＤＭＲＳを配置するＲＢを異ならせてもよい。他の例として、グループ内ではセル毎にＤＭＲＳを配置するＲＢを異ならせ、グループ間では同じ、あるいは無相関としてもよい。このような柔軟な設定を可能とすることで、セルのカバレッジや、周波数帯域、サポートするサービスなどで適切なＲＢ毎のＤＭＲＳの配置を設定することが可能となる。また、システムとしての周波数利用効率を向上させることが可能となる。
【０１０６】
セル毎のＲＢ間のＤＭＲＳの配置を規格等で静的に決めておくことを示したが、他の方法として、本実施の形態を適用するセルの基地局から端末に対してＲＢ間のＤＭＲＳの配置を通知してもよい。基地局から端末への通知方法の例を以下に示す。
【０１０７】
基地局は、自セルのＲＢ間のＤＭＲＳの配置情報を傘下の端末に報知する。基地局は、ＲＢ間のＤＭＲＳの配置情報として、前述した、ＤＭＲＳ配置を設定するための情報および特定の帯域を設定するための情報といった情報を端末に報知する。
【０１０８】
あるいは、規格等でＲＢ間のＤＭＲＳの配置の複数のパターンを用意しておき、各パターンにインデックスを設けてもよい。この場合、基地局は、インデックス情報を端末に対して報知する。基地局は、ＲＢ間のＤＭＲＳの配置情報としてインデックス情報を報知してもよい。
【０１０９】
セル傘下の端末は、基地局から報知された情報を受信することで、該セルのＲＢ間のＤＭＲＳの配置を認識することができる。
【０１１０】
基地局は、端末に報知する上記の情報を、報知情報としてＭＩＢ（Master  Information  Block）に含めてもよい。あるいは、基地局は、端末に報知する上記の各情報を、３ＧＰＰで議論されているミニマムＳＩ（System  Information）に含めてもよい。基地局は、端末に報知する上記の各情報をＰＢＣＨ（Physical  Broadcast  Channel）で通知してもよい。また、基地局は、端末に報知する上記の各情報をＳＩＢ（System  Information  Block）に含めて報知してもよい。
【０１１１】
他の通知方法を説明する。基地局は、自セルのＲＢ間のＤＭＲＳの配置情報を傘下の端末に個別シグナリングで通知する。すなわち、基地局は、該配置情報を端末に報知するのでは無く、端末個別のシグナリングで通知する。基地局は、ＲＢ間のＤＭＲＳの配置情報を端末個別の情報に含めて通知してもよい。これにより、端末毎に必要な情報を個別に通知可能となる。たとえば、サービス毎にＲＢ間のＤＭＲＳの配置が異なるような場合、端末毎にサポートするサービスのＲＢ間のＤＭＲＳの配置を通知することが可能となる。
【０１１２】
また、基地局は、ＲＢ間のＤＭＲＳの配置情報をセル共通の情報に含めて端末に通知してもよい。この場合、制御が容易になる。また、基地局は、ＲＢ間のＤＭＲＳの配置情報を端末個別ＳＩＢ情報に含めて通知してもよい。基地局は、たとえば、３ＧＰＰで提案されている他のＳＩ（other  SI）情報として、ＲＢ間のＤＭＲＳの配置情報を通知してもよい。
【０１１３】
セル毎のＲＢ間のＤＭＲＳの配置を変更可能としてもよい。この場合、ＤＭＲＳの配置が変更となったセルの基地局から端末に対してセルのＲＢ間のＤＭＲＳの配置の修正情報を通知する。ＤＭＲＳの配置が変更となったセルの基地局は、ＤＭＲＳの配置の修正情報として、新たに設定するＲＢ間のＤＭＲＳの配置の情報を端末に通知してもよい。
【０１１４】
基地局から端末に修正情報を通知方法として、ＬＴＥ（Long  Term  Evolution）でのシステム情報の変更方法を適用してもよい。他の方法として、基地局から端末に対して端末個別シグナリングにより修正情報を通知してもよい。たとえば、ＲＲＣ接続再設定メッセージにＲＢ間のＤＭＲＳの配置の修正情報を含めて通知してもよい。
【０１１５】
あるいは、ＲＲＣ接続再設定メッセージにＲＢ間のＤＭＲＳの配置情報が修正されたことを示す情報を含めて通知してもよい。この場合、配置情報が修正されたことを示す情報を受信した端末は、変更された情報、すなわちセルのＲＢ間のＤＭＲＳの配置の修正情報が通知されるチャネルを受信するようにして修正情報の通知を受ける。
【０１１６】
あるいは、配置情報が修正されたことを示す情報を受信した端末は、配置情報が修正されたセルの基地局に対して、変更されたシステム情報の送信を要求するシグナリングを送信してもよい。あるいは、配置情報が修正されたことを示す情報を受信した端末は、配置情報が修正されたセルの基地局に対して、ＲＢ間のＤＭＲＳの配置の修正情報の送信を要求するシグナリングを送信してもよい。配置情報が修正されたセルの基地局は、端末から修正情報の送信を要求する情報を受信すると、端末に対して、変更されたシステム情報あるいはＲＢ間のＤＭＲＳの配置の修正情報を通知する。
【０１１７】
このようにすることで、セル毎のＲＢ間のＤＭＲＳの配置の変更が適宜可能となる。また、基地局から端末に対して変更後のＲＢ間のＤＭＲＳの配置を通知することが可能となる。このように、ＲＢ間のＤＭＲＳの配置をセルの電波伝搬環境、負荷状況などに応じて変更することが可能となる。
【０１１８】
上記では、セル毎にＲＢ間のＤＭＲＳ配置を設定するための情報を決めておくことを開示したが、他の方法として、セル毎の識別子を用いてＲＢ間のＤＭＲＳ配置を設定するための情報を導出するようにしてもよい。この場合、セルの識別子であるセルＩＤを入力パラメタに含む関数を設けておき、該関数を用いて情報を導出すればよい。
【０１１９】
たとえば、ＤＭＲＳを配置するＲＢの密度（ｄ）を予め決めておき、セルの識別子をＮ＿ｃｅｌｌ＿ＩＤとして、ＤＭＲＳを配置するＲＢ番号ｎを以下の式（３）から導出する。式（３）において、ｍは０以上の整数であり、ｎは０〜セルの全帯域のＲＢ数−１である。ｄの値は、たとえば、規格等で予め決めておく。
ｎ＝（Ｎ＿ｃｅｌｌ＿ＩＤ  ｍｏｄ  ｄ）＋ｍ×ｄ  …（３）
【０１２０】
この方法は、特定の帯域内でＤＭＲＳを配置するＲＢを設定するような場合にも適用できる。ｄの値を特定の帯域毎に異ならせてもよい。
【０１２１】
このようにすることで、セルの識別子からＤＭＲＳを配置するＲＢ番号を導出することが可能となる。この場合、ＤＭＲＳ配置を設定するための情報をセル毎に決めておく必要が無く、セルの識別子から導出可能となる。また、端末はセルの識別子を前述した方法で取得すればよく、このため、基地局から端末に対してＤＭＲＳの配置を通知する場合と比較して、基地局から端末へ送信する情報量を削減できる。
【０１２２】
上述したように、セルの識別子を入力パラメタに含む関数を設けておき、該関数を用いてＲＢ間のＤＭＲＳ配置の情報を導出することで、セル毎に異なるＲＢ間のＤＭＲＳ配置を設定することも可能となる。周辺セル間で適切なセル識別子を付与することによって、端末が他セルから受ける干渉を低減させることが可能となる。すなわち、端末における受信品質を向上させることが可能となる。
【０１２３】
ＤＭＲＳを配置するＲＢの密度（ｄ）を規格等で予め決めておくことを開示したが、ｄの値を基地局から端末に通知してもよい。通知方法は、前述した、ＲＢ間のＤＭＲＳの配置情報およびＲＢ間のＤＭＲＳの配置の修正情報を、基地局から端末に通知する方法と同様の方法とすればよい。
【０１２４】
このようにすることで、セルの電波伝搬環境、負荷状況などに応じてＤＭＲＳを配置するＲＢを変更することが可能となる。
【０１２５】
ＲＢ内のＤＭＲＳ配置方法については、実施の形態１で開示した方法を適用する。また、ＬＴＥで用いられている方法を適用してもよい。あるいは、３ＧＰＰで提案されている方法を適用してもよい。その他の方法として、ＲＢ内のＤＭＲＳを配置するＲＥを、ＲＢ番号を入力パラメタとした関数を用いて導出するようにしてもよい。複数のＤＭＲＳを配置するＲＥのパターンをインデックスで表し、該インデックスを関数により導出するようにしてもよい。
【０１２６】
また、実施の形態１で例示したように、ＤＭＲＳを１ＯＦＤＭシンボル上の全ＲＥに配置しなくてもよい。１ＲＢ内でのＤＭＲＳの多重数を少なくして、ＤＭＲＳを配置しないＲＥにデータ等を配置可能としてもよい。この場合、上記のｄを調整することによって１ＲＢ内でのＤＭＲＳ多重数の設定を適宜変更してもよい。
【０１２７】
本実施の形態を適用するセルの基地局は、端末に対して使用するＤＭＲＳポートに関する情報を通知する。該情報としては、ＤＭＲＳポート番号がある。また、ＤＭＲＳのシーケンスを導出するためのパラメタがある。このパラメタとしては、たとえば、スクランブリング識別子等である。
【０１２８】
本実施の形態を適用するセルの基地局は、端末に対して、使用するＤＭＲＳポートに関する情報、上記のパラメタを、下り制御情報（ＤＣＩ）に含めて通知してもよい。また、基地局は、上記の情報、パラメタを、レイヤ１（Ｌ１）制御チャネルまたはレイヤ２（Ｌ２）制御チャネルを使用して端末に通知してもよい。また、基地局は、上記の情報、パラメタをＰＤＣＣＨで通知してもよい。端末は該情報を受信することで、復調に使用するＤＭＲＳポートに関する情報を取得することが可能となる。
【０１２９】
上記の情報、パラメタをＤＣＩに含めて通知する構成とした場合、使用するＤＭＲＳポートをスケジュルタイミング毎に変更可能となる。したがって、複数の端末で多重するような場合に柔軟なスケジュルが可能となり、周波数使用効率を向上させることが可能となる。
【０１３０】
本実施の形態で開示した、セル毎に設定するＲＢ間のＤＭＲＳの配置は、時間軸方向に存在するＲＢが所定数以上の場合に有効としてもよい。あるいは、時間軸方向に存在するＲＢが所定数以下の場合に無効としてもよい。たとえば、ＲＢ数の範囲と、その範囲の場合にとりうるｄの値とを関連付けておいてもよい。一例として、ＲＢ数が５０以下の場合はｄ≦２、５０以上の場合はｄ≦３などである。これらは予め規格等で決めておいてもよい。
【０１３１】
このようにすることで、ＲＢ数が少ない場合にＤＭＲＳを配置するＲＢ数を少なくすることが可能となり、傘下の多数の端末に対してデータをスケジュルすることが可能となる。また、周波数利用効率を向上させることが可能となる。
【０１３２】
実施の形態４．
実施の形態１では周波数軸方向でＲＢ間のＤＭＲＳの配置を変更する場合について説明したが、次に、時間軸方向で配置を変更する実施の形態について説明する。なお、通信システムの構成および基地局の構成は実施の形態１と同様とする。
【０１３３】
ＤＭＲＳを含むＲＢの配置を時間軸方向で変更する本実施の形態では、スロットナンバ、サブフレームナンバ、無線フレームナンバ、システムフレームナンバ等の時間軸方向のスケジュル単位を入力パラメタに含む関数を設けておき、該関数を用いて、ＤＭＲＳを配置するＲＢを導出する。ＤＭＲＳを配置するＲＢを導出する値としては、実施の形態３の最初に説明した、ＤＭＲＳ配置を設定するための情報、具体的には、上述した情報（１−１）〜（１−４），（２−１）〜（２−４）を使用することが可能である。
【０１３４】
たとえば、ＤＭＲＳを配置するＲＢの密度（ｄ）を予め決めておき、無線フレームナンバをＲＦＮとして、ＲＦＮにおけるＤＭＲＳを配置するＲＢ番号ｎ＿ＲＦＮを以下の式（４）から導出する。式（４）において、ｍは０以上の整数であり、ｎ＿ＲＦＮは０〜セルの全帯域のＲＢ数−１である。ｄの値は、たとえば、規格等で予め決めておく。
ｎ＿ＲＦＮ  ＝（ＲＦＮ  ｍｏｄ  ｄ）＋  ｍ×ｄ    …（４）
【０１３５】
端末はスケジュルされたリソースのＲＦＮからセルに設定されているＤＭＲＳを配置するＲＢを導出することが可能となる。このようにすることで、ＤＭＲＳを配置するＲＢを時間軸方向で異ならせることが可能となる。
【０１３６】
時間軸方向でＤＭＲＳの配置を変更する形態では、時間的に連続して特定のＲＢの受信品質が悪化するような電波伝搬環境の場合に、長時間復調できずに生じる受信誤り率の低下を抑制することが可能となる。
【０１３７】
実施の形態３で開示したセル毎にＤＭＲＳを配置するＲＢを設定する方法をあわせて用いてもよい。この場合、セル毎の識別子を入力パラメタに含む関数を設けておき、該関数を用いて、ＤＭＲＳを配置するＲＢを導出するようにしてもよい。このようにすることで、セル毎のＤＭＲＳを配置するＲＢを時間軸方向で異ならせることが可能となる。
【０１３８】
ＤＭＲＳを配置するＲＢを関数により端末が求める方法を説明したが、ＤＭＲＳを配置するＲＢを設定する基地局から端末に対して、ＤＭＲＳを配置するＲＢをダイナミックに通知するようにしてもよい。このとき、基地局は、時間軸方向のスケジュル単位でＤＭＲＳを配置するＲＢを通知してもよい。また、基地局は、ＤＭＲＳを配置するＲＢそのものではなく、ＤＭＲＳを配置するＲＢを導出するための情報を通知してもよい。該情報としては、実施の形態１で開示したＤＭＲＳ配置を設定するための情報、特定の帯域を設定するための情報を使用してもよい。
【０１３９】
本実施の形態を適用するセルの基地局は、ＤＭＲＳを配置するＲＢを決定するための情報をＤＣＩに含めて通知する。また、基地局は、該情報を含めたＤＣＩをレイヤ１（Ｌ１）制御チャネルまたはレイヤ２（Ｌ２）制御チャネルを使用して端末に通知してもよい。また、基地局は、該情報をＰＤＣＣＨで通知してもよい。
【０１４０】
また、基地局は、ＤＭＲＳを配置するＲＢを決定するための情報を共通情報用のＤＣＩに含めて端末に通知してもよい。基地局は、該共通情報用のＤＣＩを所定のＲＮＴＩ（Radio  Network  Temporary  Identifier）を用いて特定できるようにしておくとよい。これにより、端末は、該所定のＲＮＴＩで該共通情報を受信し、復調することが可能となる。所定のＲＮＴＩは予め規格等で決めておいてもよいし、ＲＲＣシグナリングで基地局から端末に通知してもよい。共通情報とすることで、基地局から端末に対して通知する情報量を削減できる。
【０１４１】
基地局は、ＤＭＲＳを配置するＲＢを決定するための情報を端末個別情報用のＤＣＩに含めて端末に通知してもよい。また、基地局は、該情報を端末へのスケジュル情報とともにＤＣＩに含めて通知してもよい。この場合、端末は、スケジュル単位で該情報を受信可能となる。基地局は、ＤＭＲＳを配置するＲＢをスケジュル単位で異ならせることが可能となる。
【０１４２】
時間軸上でＤＭＲＳを配置するＲＢを決定するための情報として、同じ設定が続く期間を示す情報を設けてもよい。この場合、時間軸方向のスケジュル単位の情報とするとよい。該情報を受信した端末は、該情報の期間、同じ設定がなされたとみなし、ＤＭＲＳを受信してデータを復調する。
【０１４３】
このようにすることで、基地局は、同じ設定が続く期間、ＤＭＲＳを配置するＲＢを決定するための情報を端末に対して通知しなくて済む。よって、通知する情報量を削減可能となる。
【０１４４】
基地局は、ＤＭＲＳを配置するＲＢを決定するための情報をＲＲＣシグナリングで端末へ通知してもよい。基地局は、ＤＭＲＳを配置するＲＢを決定するための情報として、通知したＲＢ間のＤＭＲＳ配置の設定を開始するタイミングおよび終了するタイミングの情報を通知してもよい。また、基地局は、通知したＲＢ間のＤＭＲＳ配置の設定を開始するタイミングおよび該設定を継続する期間の情報を通知してもよい。なお、タイミングを示す単位としては、スロットナンバ、サブフレームナンバ、無線フレームナンバ、システムフレームナンバ等の時間軸方向のスケジュル単位を使用することができる。
【０１４５】
基地局は、ＤＭＲＳを配置するＲＢを端末に通知する方法として、ＤＭＲＳを配置するＲＢを決定するための情報を通知する方法を用いてもよい。すなわち、基地局は、ＤＭＲＳを配置するＲＢそのものを端末に通知するのではなく、ＤＭＲＳが配置されているＲＢを端末が導出するための情報を通知してもよい。ここで、ＲＲＣシグナリングでの通知には通常複数のサブフレームを要する。基地局から端末へ設定開始タイミング等を通知することで、基地局および端末は、ＤＭＲＳを設定あるいは変更するタイミングを共通に認識することが可能となる。
【０１４６】
このため、端末は、基地局が設定したＤＭＲＳを正確に用いることが可能となり、該ＤＭＲＳを用いてデータを復調することが可能となる。
【０１４７】
セルの基地局から端末への通知にＲＲＣシグナリングを用いる例を開示したが、ＭＡＣシグナリングを用いて通知を行ってもよい。また、基地局は、ＤＭＲＳを配置するＲＢを決定するための情報ＭＡＣ  ＣＥに含めて端末に通知してもよい。この場合、ＲＲＣシグナリングを用いる場合と比べて早期に通知可能となる。すなわち、設定時および変更時の遅延を低減できる。
【０１４８】
各セルのＤＭＲＳを配置するＲＢを決定するための情報の通知に、Ｌ１制御チャネル、Ｌ２制御チャネル、ＭＡＣ  ＣＥ、ＲＲＣシグナリングを用いることを開示したが、これらを組合せて用いてもよい。たとえば、各セルのＤＭＲＳを配置するＲＢを決定するための情報うち一部をＬ１制御チャネルおよびＬ２制御チャネルで通知し、残りをＲＲＣシグナリングで通知する。
【０１４９】
たとえば、スケジュル時間単位で変更するものはＬ１制御チャネルおよびＬ２制御チャネルで通知し、長期間にわたって変更不要なものはＲＲＣシグナリングで通知する。このようにすることで、情報に応じた通知方法が可能となる。
【０１５０】
実施の形態５．
実施の形態１で開示したように、ＤＭＲＳが配置されるＲＥが隣接するセル間で同じになった場合、端末は隣接セルからの信号により干渉を受けて受信品質が悪化する可能性がある。本実施の形態では、このような、セル間干渉が発生する問題を解決する方法について説明する。
【０１５１】
本実施の形態にかかる通信システムでは、ＤＭＲＳを配置するＲＢを基地局間で協調してＤＭＲＳの配置を設定することによりセル間干渉が発生する問題を解決する。
【０１５２】
具体的には、ＤＭＲＳの送信タイミングについて、協調させる基地局間で同期をとる。すなわち、基地局のセル間で同期をとる。時間軸上のサブフレーム、無線フレームなどスケジュル単位で付与される番号の同期を基地局間でとるとよい。このようにすることで、協調制御を容易にすることができる。
【０１５３】
この方法では、基地局は、自セルのＤＭＲＳを配置するＲＢを決定するための情報を、隣接する基地局に通知する。ＤＭＲＳを配置するＲＢを決定するための情報としては、ＤＭＲＳ配置を設定するための情報、特定の帯域を設定するための情報など、実施の形態３および実施の形態４でセル毎のＤＭＲＳを配置するＲＢを設定するために使用した情報が該当する。
【０１５４】
また、ＤＭＲＳを配置するＲＢを決定するための情報として、ＲＢ間のＤＭＲＳ配置の設定を開始するタイミングおよび終了するタイミングの情報を使用してもよい。あるいは、ＲＢ間のＤＭＲＳ配置の設定を開始するタイミングおよび該設定を継続する期間の情報を使用してもよい。なお、タイミングを示す単位としては、スロットナンバ、サブフレームナンバ、無線フレームナンバ、システムフレームナンバ等の時間軸方向のスケジュル単位を使用することができる。
【０１５５】
タイミングの情報を示す単位としては、スロットナンバ、サブフレームナンバ、無線フレームナンバ、システムフレームナンバ等の時間軸方向のスケジュル単位を使用することができる。
【０１５６】
基地局は、ＤＭＲＳを配置するＲＢを端末に通知する方法として、ＤＭＲＳを配置するＲＢを決定するための情報を通知する方法を用いてもよい。すなわち、基地局は、ＤＭＲＳを配置するＲＢそのものを端末に通知するのではなく、ＤＭＲＳが配置されているＲＢを端末が導出するための情報を通知してもよい。
【０１５７】
基地局は、ＤＭＲＳを配置するＲＢを決定するための情報をセルの識別子と関連付けて通知してもよい。セルの識別子として、ＰＣＩ、ＥＣＧＩ（E-UTRAN  Cell  Global  ID）などを用いてもよい。セルの識別子は、ＲＡＮ（Radio  Access  Network）上で管理される識別子としてもよいし、ＣＮ（Core  Network）上で管理される識別子としてもよい。ＤＭＲＳを配置するＲＢを決定するための情報をセルの識別子と関連付けて通知することにより、異なる基地局がどの基地局のどのセルかを認識可能となる。
【０１５８】
基地局は、ＤＭＲＳを配置するＲＢの設定を変更した場合、変更後のＤＭＲＳを配置するＲＢの設定を、隣接する基地局に通知する。設定を変更した基地局が隣接する基地局に通知する情報は、上述した、自セルのＤＭＲＳを配置するＲＢを決定するための情報である。
【０１５９】
基地局間の情報通知には、基地局間のインターフェースのシグナリングを用いるとよい。セル毎のＤＭＲＳを配置するＲＢを決定するための情報を通知するためのメッセージを新たに設けてもよい。該情報をセル識別子と関連付けて該メッセージで通知してもよい。基地局間のインターフェースとしては、たとえば、ＬＴＥで規定されたＸ２インターフェースがある。また、３ＧＰＰで第５世代の通信規格として議論されているＮＲ（New  Radio）のＸｎインターフェースがある。
【０１６０】
基地局は、ＤＭＲＳを配置するＲＢを決定するための情報を、基地局間のインターフェースのセットアップのためのメッセージで通知してもよい。この場合、基地局は、自セルのＤＭＲＳを配置するＲＢを決定するための情報をセル識別子と関連付けて、セットアップメッセージに含めて周辺の基地局に通知する。該情報を受信した周辺の基地局は、セットアップ応答として、自セルのセル毎のＤＭＲＳを配置するＲＢを決定するための情報をセル識別子と関連付けて、セットアップ応答メッセージに含めて、セットアップメッセージを送信した基地局に通知する。
【０１６１】
基地局は、ＤＭＲＳを配置するＲＢを決定するための情報を、基地局構成のアップデートのためのメッセージで通知してもよい。この場合、基地局は、自セルのＤＭＲＳを配置するＲＢを決定するための情報をセル識別子と関連付けて、基地局構成のアップデートのためのメッセージに含めて周辺の基地局に通知する。
【０１６２】
また、セットアップメッセージとアップデートメッセージとを使い分けてもよい。基地局は、たとえば、最初の設定すなわち初期状態のＤＭＲＳを配置するＲＢを決定するための情報をセットアップメッセージで通知して、変更後の設定をアップデートメッセージで通知するようにしてもよい。このように、アップデートメッセージは基地局が自セルのＤＭＲＳを配置するＲＢの設定を変更した場合にのみ通知するようにできる。
【０１６３】
このようにすることで、基地局は、周辺基地局のセルにおいてＤＭＲＳを配置するＲＢを決定するための情報を受信し、周辺基地局のセルにおいてＤＭＲＳが配置されるＲＢを認識することができる。周辺基地局のセルにおいてＤＭＲＳが配置されるＲＢを認識した基地局は、周辺基地局のセルにおけるＤＭＲＳの配置を考慮して、自セルのＤＭＲＳを配置するＲＢの設定を必要に応じて変更する。これにより、基地局は、自セル内の端末において隣接セルからの干渉が問題となるような場合、ＤＭＲＳを配置するＲＢの設定を変更することで、干渉を回避させ受信品質を向上させることが可能となる。
【０１６４】
基地局は、周辺基地局に対して、ＤＭＲＳを配置するＲＢの設定の変更を要求してもよい。この要求は、基地局間のインターフェースのシグナリングを用いて行う。ＤＭＲＳを配置するＲＢの設定の変更を要求するためのメッセージ（以下、配置設定変更要求メッセージとする）を新たに設け、これを用いて設定変更の要求を行うようにしてもよい。この場合、周辺基地局に対して変更を要求する基地局は、ＤＭＲＳを配置するＲＢの設定の変更を要求する対象のセルのセル識別子を、配置設定変更要求メッセージに含めて送信する。
【０１６５】
また、周辺基地局に対して変更を要求する基地局は、配置設定変更要求メッセージを送信する際、自セルのＤＭＲＳを配置するＲＢを決定するための情報を配置設定変更要求メッセージに含めて送ってもよい。また、該情報を自セルのセル識別子と関連付けて配置設定変更要求メッセージに含めてもよい。このようにすることで、配置設定変更要求メッセージを受信した基地局は、配置設定変更要求メッセージを送信した基地局のセルにおけるＤＭＲＳの配置、すなわちＤＭＲＳを配置するＲＢを認識することができる。よって、配置設定変更要求メッセージを受信した基地局は、メッセージを送信した基地局におけるＤＭＲＳの配置を考慮して、自セルのＤＭＲＳを配置するＲＢの設定を変更することができる。
【０１６６】
配置設定変更要求メッセージを受信した基地局は、要求に応じることが可能であれば設定を変更し、要求してきた基地局に応答メッセージを送信する。なお、配置設定変更要求メッセージを受信した基地局は、要求に応じることができない場合も応答メッセージを送信する。応答メッセージに含める情報としては以下に示す（Ａ）〜（Ｃ）を例示できる。
（Ａ）受諾あるいは拒否を示す情報
（Ｂ）受諾の場合、変更後のＤＭＲＳを配置するＲＢを決定するための情報
（Ｃ）拒否の場合、拒否の理由を示す情報
【０１６７】
このようにすることで、基地局間で協調してＤＭＲＳを配置するＲＢを設定することが可能となる。この結果、隣接セルからの干渉信号によって端末での受信品質の悪化を低減させることが可能となる。
【０１６８】
基地局間の協調を他のノードあるいはエンティティが行ってもよい。たとえば、中央制御ノード（centralized  node）を設け、中央制御ノードが、中央制御ノードに接続する基地局間の協調を行う。あるいは、コアネットワークに位置するノードが、コアネットワークに接続する基地局間の協調を行うようにしてもよい。たとえば、移動管理を行うノードが各基地局を制御し、基地局間の協調を行ってもよい。あるいは、ＯＡＭ（Operating  &  Maintenance）が接続する基地局間の協調を行ってもよい。
【０１６９】
協調の方法として前述の方法を適宜適用するとよい。たとえば、基地局は、協調を行うノードに、自セルのＤＭＲＳを配置するＲＢを決定するための情報（以下、配置決定用情報とする）をセル識別子と関連付けて、通知する。協調を行うノードは、接続する基地局から配置決定用情報とこれに関連付けられたセル識別情報とを受信すると、接続する各基地局のセルにおけるＤＭＲＳの配置を再設定し、再設定後の各セルにおけるＤＭＲＳの配置を決定するための情報を、セル識別子と関連付けて、各基地局に通知する。このようにすることで、基地局間で協調した設定が可能となる。
【０１７０】
他の協調の方法として、基地局は、協調を行うノードに対して、ＤＭＲＳを配置するＲＢの設定の変更要求を、変更要求対象のセルの識別子と関連付けて通知する。このとき、基地局は、自セルにおけるＤＭＲＳを配置するＲＢの設定をあわせて通知してもよい。また、基地局は、自セルの識別情報および自セルにおけるＤＭＲＳを配置するＲＢの設定を上記の変更要求とあわせて通知するようにしてもよい。協調を行うノードは、ＤＭＲＳを配置するＲＢの設定の変更要求を受信した場合、この変更要求を送信した基地局のセルにおけるＤＭＲＳの配置と、要求対象の基地局のセルにおけるＤＭＲＳの配置とを再設定し、再設定後のＤＭＲＳの配置を決定するための情報を、セル識別子と関連付けて、各基地局に通知する。このようにした場合にも、基地局間で協調した設定が可能となる。
【０１７１】
このようにすることで、基地局間で協調してＤＭＲＳを配置するＲＢを設定することが可能となる。その結果、隣接セルからの干渉信号によって端末での受信品質が悪化するのを防止することが可能となる。また、基地局間の協調機能を他のノードあるいはエンティティに持たせることで、多数の基地局間が協調するような場合も容易に協調制御を実現できる。
【０１７２】
実施の形態３および実施の形態４では、基地局が端末に対して自セルのＤＭＲＳを配置するＲＢを決定するための情報を通知したが一例である。基地局は、端末に対して他のセルのＤＭＲＳを配置するＲＢを決定するための情報を通知してもよい。たとえば、基地局は、ＳＣｅｌｌ（Secondary  Cell）のＤＭＲＳを配置するＲＢを決定するための情報を、ＰＣｅｌｌ（Primary  Cell）を用いて通知してもよい。あるいは、基地局は、ＳＣＧ（Secondary  Cell  Group）のセル毎のＤＭＲＳを配置するＲＢを決定するための情報を、ＭＣＧ（Master  Cell  Group）を用いて通知してもよい。また、基地局は、ＭＣＧのセル毎のＤＭＲＳを配置するＲＢを決定するための情報を、ＰＣｅｌｌを用いて通知してもよい。
【０１７３】
あるいは、基地局は、測定用のセルにおけるＤＭＲＳを配置するＲＢを決定するための情報を端末に通知してもよい。たとえば、基地局は、サービングセルを用いて端末に該情報を通知してもよい。端末は、該情報を用いて該セルの測定を行ってもよい。
【０１７４】
このようにすることで、端末が複数のセルとの間で通信を行うような場合や測定を行う場合において、セル毎のＤＭＲＳを配置するＲＢを決定するための情報を通知するためのシグナリングを容易に実現することが可能となるとともに、該情報を低遅延で送信することが可能となる。
【０１７５】
実施の形態１で１ＲＢあたりのＤＭＲＳを含むシンボルの数を複数としてもよいことを開示した。１ＲＢあたりのＤＭＲＳを含むシンボルの数を複数とすることを、セル毎に設定してもよい。
【０１７６】
３ＧＰＰにおいて、セルフコンテインドスロット（self−contained  slot）が検討されている。セルフコンテインドスロットは、下りリンク用の信号あるいはチャネルと上りリンク用の信号あるいはチャネルとが同一スロットにマッピングされるスロットである。上りリンク用の信号あるいはチャネルはスロットの最後のシンボルから一つまたは複数のシンボルにマッピングされる。下り用のシンボルと上り用のシンボルとの間にギャップが設けられてもよい。
【０１７７】
上りリンクやギャップ用のシンボルは固定でなくてもよい。このような場合、１ＲＢあたりのＤＭＲＳを含むシンボルの数を複数とすると、ＤＭＲＳを配置するシンボルと上りリンクやギャップに用いるシンボルが重なってしまうことが考えられる。このような場合、端末での復調が正常に行われなくなってしまう問題が生じる。このような問題を解決する方法を開示する。
【０１７８】
ＤＭＲＳを配置するシンボルと上りリンクやギャップに用いるシンボルが重なってしまう場合、ＤＭＲＳを配置しないとする。いいかえると、それらが重なったシンボルを上りリンクやギャップ用に用いる。
【０１７９】
たとえば、１スロットが７シンボルから構成されており、ＤＭＲＳが第３シンボルに配置されており、さらに付加的なＤＭＲＳが第６シンボルに配置されている構成とする。このような構成のスロットにおいて、上りリンクやギャップに用いるシンボルを最後のシンボルから２つとするセルフコンテインドスロットが設定された場合、スロットの第６シンボルで、ＤＭＲＳと上りリンクやギャップが重なってしまう。
【０１８０】
このような場合、第６シンボルを上りリンクやギャップに用いて、セルフコンテインドスロットを構成する。
【０１８１】
基地局は端末に対して、セルフコンテインドスロットの構成を通知する。すなわち、基地局は、上りリンクやギャップに用いるシンボル番号を特定できる情報を端末に通知する。たとえば、基地局は、スロットをセルフコンテインドスロットとすることを表す情報、上りリンクやギャップに用いるシンボル数や番号などの情報を通知する。
【０１８２】
端末は、基地局からセルフコンテインドスロットの構成の情報を受信し、セルフコンテインドスロットで設定されたＤＭＲＳが配置されるシンボルが、上りリンクやギャップに用いられることを認識した場合、該シンボルにはＤＭＲＳが含まれず、上りリンクやギャップに用いられると認識する。このようにすることで、端末は正常に他の下り用シンボルのデータを受信し復調することが可能となる。
【０１８３】
他の方法として、セルフコンテインドスロットでは、あらかじめＤＭＲＳを上りリンクやギャップに用いられるシンボルと重ならないような配置としておいてもよい。ＤＭＲＳを、取り得る上りリンクやギャップ用のシンボルを除いたシンボルに配置しておくとよい。配置する最後のＤＭＲＳのシンボル番号が、上りリンクやギャップに用いられるシンボル番号よりも小さくなるようにしておくとよい。
【０１８４】
他の方法として、セルフコンテインドスロットでは、上りリンクやギャップに用いられるシンボルよりも所定のシンボル数ｎ（ｎ＝１，２，３・・）だけ前のシンボルに配置するとしてもよい。たとえば、セルフコンテインドスロットに２つのＤＭＲＳ用シンボルを配置するとし、１番目のＤＭＲＳ用シンボルを固定とし、２番目のＤＭＲＳ用シンボルを上りリンクやギャップに用いられるシンボルよりも所定のシンボル数ｎ（ｎ＝１，２，３・・）だけ前のシンボルに配置する。
【０１８５】
このような場合、１番目のＤＭＲＳ用シンボルと２番目のＤＭＲＳ用シンボル間の最小値を決めておいてもよい。セルフコンテインドスロットで設定された上りリンクやギャップに用いられるシンボル数により、最初のＤＭＲＳ用シンボルと後のＤＭＲＳ用シンボル間が該最小値分取れない場合、後のＤＭＲＳを配置しないとしてもよい。
【０１８６】
このような方法はあらかじめ規格で決められてもよいし、基地局から端末に対して通知してもよい。また、このような方法に必要な情報は、あらかじめ規格で決められてもよいし、基地局から端末に対して通知してもよい。基地局から端末に情報を通知する方法として、システム情報として報知する、あるいは端末に個別に通知してもよい。あるいは、端末個別の情報として端末に個別に通知してもよい。
【０１８７】
また、該通知を、ＲＲＣシグナリング、ＭＡＣシグナリング、Ｌ１制御チャネル、あるいはＬ２制御チャネルを用いて行ってもよい。情報によって、これらを使い分けて通知してもよい。
【０１８８】
このような方法とすることで、ＤＭＲＳを配置するシンボルと上りリンクやギャップに用いるシンボルとが重ならないようにして、端末での復調を正常に実施できるようにすることが可能となる。端末での受信品質を向上させることが可能となる。
【０１８９】
なお、実施の形態１で開示した構成と実施の形態３で開示した構成とを組合せて実施してもよい。すなわち、実施の形態３で開示した方法で、セル毎のＲＢ間のＤＭＲＳの配置を決定し、決定した配置、すなわちセル毎のＲＢ間のＤＭＲＳの配置を用いて、実施の形態１で開示した端末毎のＲＢ間のＤＭＲＳの設定を実施する。このようにすることで、多様なＲＢ間のＤＭＲＳの設定を可能とし、セルの位置、セルの電波伝搬環境、セルの負荷、多重させる端末数などに適したＲＢ間のＤＭＲＳの設定が可能となる。この結果、周波数利用効率を向上させ、システムとしての通信容量を増大させることが可能となる。
【０１９０】
実施の形態６．
実施の形態１、実施の形態３〜実施の形態５では、ユニキャスト通信においてＤＭＲＳを設定する方法を開示した。これに対して、本実施の形態では、ユニキャスト通信以外における例を開示する。なお、通信システムの構成および基地局の構成は実施の形態１と同様とする。
【０１９１】
本実施の形態にかかる通信システムも基地局は、マルチキャスト通信において、ＲＢ間のＤＭＲＳの配置を櫛状に配置する。なお、マルチキャストは選ばれた複数の端末向けに情報を配布する通信方式となる。ブロードキャストはセル内の端末全て、ユニキャストは選択した端末向けの通信方式となる。  
【０１９２】
前述のマルチキャスト通信として、ＳＣ−ＰＴＭ（Single  Cell-Point  To  Multipoint）を用いてもよい。また、実施の形態３などと同様に、ＤＭＲＳを含むＲＢの配置をセル毎に設定してもよい。これにより、ＤＭＲＳが配置されていないリソースすなわちＲＢのＲＥを、他の信号あるいは他のチャネルに使用することが可能となるため、周波数利用効率を向上させることが可能となる。また、他セルからのＤＭＲＳ信号の干渉を防ぐことが可能となる。
【０１９３】
また、マルチキャスト通信におけるＤＭＲＳの系列を、該マルチキャスト通信を一意に識別する識別子（以下、マルチキャストＩＤと称する場合がある）を用いて生成してもよい。たとえば、実施の形態１にて示したＺＣ系列のパラメタを、マルチキャストＩＤを用いて生成してもよい。あるいは、ＤＭＲＳの系列としてＰＮ符号を用い、ＰＮ符号の初期値生成を、マルチキャストＩＤを用いて行ってもよい。これにより、マルチキャスト通信のＤＭＲＳと他の通信との間におけるＤＭＲＳの干渉を抑えることが可能となるとともに、複数の端末がマルチキャスト通信のストリームを同時に受信することが可能となる。なお、上記の他の通信には、他のマルチキャスト通信およびユニキャスト通信の双方が含まれる。
【０１９４】
ここで、ＤＭＲＳの配置を設定するための情報として、実施の形態３で例示した（１−１）〜（１−４）の情報を用いてもよい。この場合、ユニキャスト通信、マルチキャスト通信において共通の情報を用いることが可能となるため、セルにおける周波数リソース制御のための基地局の処理量を削減することが可能となる。
【０１９５】
また、実施の形態３と同様に、ＤＭＲＳをセルの全帯域に同じパターンで配置するのではなく、特定の帯域内でＤＭＲＳを配置するＲＢを設定してもよい。特定の帯域を複数セット設けてもよい。特定の帯域を設定するための情報として、実施の形態３で例示した（２−１）〜（２−４）の情報を用いてもよい。この場合にも、ユニキャスト通信、マルチキャスト通信において共通の情報を用いることが可能となるため、セルにおける周波数リソース制御のための基地局の処理量を削減することが可能となる。
【０１９６】
マルチキャスト通信において、セル毎のＲＢ間のＤＭＲＳの配置を固定としてもよい。たとえば、セル毎のＲＢ間のＤＭＲＳの配置を規格等で静的に決めておいてもよい。ＲＢ間のＤＭＲＳの配置として、実施の形態３に示した方法と同じ方法を用いてもよい。この場合、ユニキャスト通信とマルチキャスト通信とでＲＢ間のＤＭＲＳの配置が共通となるため、マルチキャスト通信とユニキャスト通信との間でＤＭＲＳの配置の競合による干渉が発生するのを抑制可能となる。
【０１９７】
また、実施の形態３と同様に、ＤＭＲＳを配置するＲＢを全セルで同じとしてもよい。また、ひとつまたは複数のセルをグループとし、グループ毎にＤＭＲＳを配置するＲＢを異ならせてもよい。他の例として、グループ内ではセル毎にＤＭＲＳを配置するＲＢを異ならせ、グループ間では同じ、あるいは無相関としてもよい。このような柔軟な設定を可能とすることで、セルのカバレッジや、周波数帯域、サポートするサービスなどで適切なＲＢ毎のＤＭＲＳの配置を設定することが可能となる。また、システムとしての周波数利用効率を向上させることが可能となる。
【０１９８】
セル毎のＲＢ間のＤＭＲＳの配置を規格等で静的に決めておくことを示したが、他の方法として、本実施の形態を適用するセルの基地局から端末に対してＲＢ間のＤＭＲＳの配置を通知してもよい。基地局から端末への通知方法の例を以下に示す。
【０１９９】
基地局は、自セルのＲＢ間のＤＭＲＳの配置情報を傘下の端末に報知する。基地局は、ＲＢ間のＤＭＲＳの配置情報として、実施の形態３で示した、ＤＭＲＳの配置を設定するための情報（１−１）〜（１−４）および特定の帯域を設定するための情報（２−１）〜（２−４）といった情報を端末に報知する。
【０２００】
セル傘下の端末は、基地局から報知された情報を受信することで、該セルのＲＢ間のＤＭＲＳの配置を認識することができる。
【０２０１】
基地局は、端末に報知する上記の各情報を、報知情報としてＭＩＢに含めてもよい。あるいは、基地局は、端末に報知する上記の各情報をミニマムＳＩに含めてもよい。基地局は、端末に報知する上記の各情報をＰＢＣＨで通知してもよい。また、基地局は、端末に報知する上記の各情報をＳＩＢに含めて報知してもよい。ＳＩＢとしては、たとえば、ＳＣ−ＰＴＭを用いたマルチキャストに関する情報を含むＳＩＢ２０を用いてもよい。
【０２０２】
他の通知方法を説明する。基地局は、自セルのＲＢ間のＤＭＲＳの配置情報を傘下の端末に個別シグナリングで通知する。すなわち、基地局は、該配置情報を端末に報知するのでは無く、端末個別のシグナリングで通知する。基地局は、ＲＢ間のＤＭＲＳの配置情報を端末個別の情報に含めて通知してもよい。これにより、端末毎に必要な情報を個別に通知可能となる。たとえば、サービス毎にＲＢ間のＤＭＲＳの配置が異なるような場合、端末毎にサポートするサービスのＲＢ間のＤＭＲＳの配置を通知することが可能となる。
【０２０３】
また、基地局は、ＲＢ間のＤＭＲＳの配置情報をセル共通の情報に含めて端末に通知してもよい。この場合、制御が容易になる。また、基地局は、ＲＢ間のＤＭＲＳの配置情報を端末個別ＳＩＢ情報に含めて通知してもよい。基地局は、たとえば、３ＧＰＰで提案されている他のＳＩ情報として、ＲＢ間のＤＭＲＳの配置情報を通知してもよい。この通知方法の場合、マルチキャスト受信を必要とする端末のみが該ＳＩ情報を取得することで、マルチキャスト受信を不要とする端末における処理量を削減することが可能となる。
【０２０４】
さらに別の通知方法を説明する。基地局は、ＲＢ間のＤＭＲＳの配置情報を、マルチキャスト用のチャネルを用いて端末に通知してもよい。使用するマルチキャスト用のチャネルは、ＭＣＣＨ（Multicast  Control  CHannel）であってもよいし、ＳＣ−ＭＣＣＨ（Single  Cell−Multicast  Control  CHannel）であってもよい。基地局は、マルチキャスト用のチャネルに、マルチキャスト用のシグナリングを含めて端末に通知してもよい。すなわち、基地局は、マルチキャスト用のシグナリングにＲＢ間のＤＭＲＳの配置情報を含めてもよい。シグナリングの例として、文献「３ＧＰＰ  ＴＳ  ３６．３３１  ｖ１４．２．１」に記載のSCPTMConfiguration、あるいは、MBSFNAreaConfigurationを用いてもよい。この通知方法の場合でも、マルチキャスト受信を必要とする端末のみへの通知が可能となるため、マルチキャスト受信を不要とする端末における処理量を削減することが可能となる。
【０２０５】
また、セルごとのＲＢ間のＤＭＲＳ配置を、ＭＣＥ（Multicell  Coordination  Entity）から基地局に通知してもよい。すなわち、セルごとのＲＢ間のＤＭＲＳ配置を、ＭＣＥ−基地局間インターフェース（たとえば、Ｍ２インターフェース）を用いてＭＣＥから各セルの基地局に通知してもよい。セルごとのＲＢ間のＤＭＲＳ配置を、マルチキャスト通信に伴う他の設定と併せて通知してもよい。この場合、シグナリング量の削減が可能となる。
【０２０６】
また、セルごとのＲＢ間のＤＭＲＳ配置を、ＭＭＥ（Mobility  Management  Entity）からＭＣＥに通知してもよい。すなわち、セルごとのＲＢ間のＤＭＲＳ配置を、ＭＭＥ−ＭＣＥ間インターフェース（たとえば、Ｍ３インターフェース）を用いてＭＭＥからＭＣＥに通知してもよい。ＭＭＥは、他の通信（たとえば、ユニキャストおよび他のマルチキャスト）におけるＲＢ間のＤＭＲＳ配置を用いて、該マルチキャストにおけるＲＢ間のＤＭＲＳ配置を決定してもよい。この場合、マルチキャストと他の通信との間でＲＢ間のＤＭＲＳ配置が競合することを防ぐことができるため、他通信からのＤＭＲＳの干渉を防ぐことが可能となる。
【０２０７】
また、本実施の形態にかかる通信システムにおけるマルチキャスト通信として、ＭＢＳＦＮ（Multimedia  Broadcast  multicast  service  Single  Frequency  Network）を用いてもよい。また、ＲＢ間のＤＭＲＳ配置を、ＭＢＳＦＮエリア毎に決定してもよい。この場合、ＲＢ間のＤＭＲＳ配置の決定において、ＭＢＳＦＮの識別子（たとえば、ＭＢＳＦＮエリアＩＤ）を用いてもよい。基地局は、ＲＢ間のＤＭＲＳ配置の情報を、本実施の形態においてこれまでに挙げた方法を用いて端末に通知してもよいし、MBSFNAreaConfigurationを用いて端末に通知してもよい。また、上記のＳＩＢ２０の代わりに、ＭＢＦＳＮエリアに関する情報を含むＳＩＢ１３を用いてもよい。この場合、ＭＢＳＦＮエリアの境界付近にいる端末において、他セルあるいは他ＭＢＳＦＮエリアからのＤＭＲＳの干渉を抑えることが可能となる。
【０２０８】
本実施の形態にかかる通信システムの基地局によれば、マルチキャスト通信において、周波数リソースを効率的に使用することが可能となるとともに、他のセル、他の通信などからのＤＭＲＳの干渉を防ぐことが可能となる。
【０２０９】
なお、これまでに説明した各実施の形態を、拡張ＣＰ（Extended  CP）を用いた通信に適用してもよい。拡張ＣＰを用いた通信の例として、広範囲をカバーする基地局と端末との間の通信であってもよいし、ＭＢＳＦＮであってもよい。これにより、拡張ＣＰを用いた通信においても、周波数リソースの効率的な利用が可能となり、また、他のセルからのＤＭＲＳの干渉を防ぐことが可能となる。
【０２１０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【０２１１】
たとえば、前述の各実施の形態およびその変形例において、スロットは、第５世代移動通信システムにおける通信の時間単位の一例である。スケジュル単位であってもよい。前述の各実施の形態およびその変形例において、スロット単位として記載している処理を、ＴＴＩ（Transmission  Time  Interval）単位、サブフレーム単位、サブスロット単位、ミニスロット単位として行ってもよい。
【符号の説明】
【０２１２】
１  基地局、２，２−１，２−２，２−ｎ  端末、１１  受信部、１２−１，１２−２，１２−３  処理部、１３  プリコーディング部、１４  送信部、２１  受信処理部、２２  復調部、１２１  情報処理部、１２３  パラメタ信号生成部、１２４  参照信号用制御信号生成部、１２５  データ信号用制御信号生成部、１２６  参照信号生成部、１２７  データ生成部、１２８  多重部。
【図１】
2018198287.tif 000005
【図２】
2018198287.tif 000006
【図３】
2018198287.tif 000007
【図４】
2018198287.tif 000008
【図５】
2018198287.tif 000009
【図６】
2018198287.tif 000010
【図７】
2018198287.tif 000011
【図８】
2018198287.tif 000012
【図９】
2018198287.tif 000013
【図１０】
2018198287.tif 000014
【図１１】
2018198287.tif 000015
【図１２】
2018198287.tif 000016
【図１３】
2018198287.tif 000017
【図１４】
2018198287.tif 000018
【図１５】
2018198287.tif 000019
【図１６】
2018198287.tif 000020
【図１７】
2018198287.tif 000021
【図１８】
2018198287.tif 000022
【図１９】
2018198287.tif 000023
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
１台の端末に対して１つ以上の送信レイヤを割り当てるとともに、各送信レイヤにおいて通信リソースの最小割り当て単位であるリソースブロックを１つ以上割り当てて前記端末へ信号を送信する送信装置であって、
複数の前記送信レイヤのうち、いずれか１つの送信レイヤと対応付けられた処理部を前記送信レイヤと同じ数だけ備え、
前記処理部の各々は、
前記端末が受信信号の復調処理で使用する参照信号を生成する参照信号生成部と、
前記端末との間の伝送路の状態、および、隣接するセルにおける前記参照信号の送信で使用される前記リソースブロックの情報のうち、少なくとも一方に基づいて、前記端末へ前記参照信号を送信するリソースブロックの配置および密度をセル毎に決定する情報処理部と、
を備えることを特徴とする送信装置。
【請求項２】
前記情報処理部は、前記参照信号の送信で使用するリソースブロックの配置を予め決められた複数の配置の中から選択する、
ことを特徴とする請求項１に記載の送信装置。
【請求項３】
前記予め決められた複数の配置は、前記リソースブロックの割り当てを行う単位であるスケジュル単位における前記リソースブロックの密度が異なる複数の配置を含む、
ことを特徴とする請求項２に記載の送信装置。
【請求項４】
前記リソースブロックの密度が異なる複数の配置は、前記スケジュル単位の周波数軸方向の密度が異なる、
ことを特徴とする請求項３に記載の送信装置。
【請求項５】
前記リソースブロックの密度が異なる複数の配置は、前記スケジュル単位の時間軸方向の密度が異なる、
ことを特徴とする請求項３に記載の送信装置。
【請求項６】
前記予め決められた複数の配置は、前記リソースブロックの割り当てを行う単位であるスケジュル単位における前記リソースブロックの密度が同じ、かつ前記リソースブロックの各々の前記スケジュル単位内における位置が重ならない複数の配置を含む、
ことを特徴とする請求項２から５のいずれか一つに記載の送信装置。
【請求項７】
前記参照信号を送信するリソースブロックの配置が通信相手の前記端末ごとに異なる、
ことを特徴とする請求項１から６のいずれか一つに記載の送信装置。
【請求項８】
前記参照信号を送信するリソースブロックの配置を、基準となる配置を表す情報と、前記基準となる配置とのずれを表すオフセット情報とを使用して前記端末へ通知する、
ことを特徴とする請求項１から７のいずれか一つに記載の送信装置。
【請求項９】
前記参照信号を送信するリソースブロックの配置を、セルの識別子に基づいて設定する、
ことを特徴とする請求項１から７のいずれか一つに記載の送信装置。
【請求項１０】
前記参照信号を送信するリソースブロックの配置を、マルチキャスト通信の識別子に基づいて設定する、
ことを特徴とする請求項１から７のいずれか一つに記載の送信装置。
【請求項１１】
請求項１から１０のいずれか一つに記載の送信装置が送信した信号を受信する受信装置であって、
前記送信装置が前記参照信号を送信するリソースブロックを特定し、前記特定したリソースブロックに含まれる前記参照信号を用いてデータ信号を復調する、
ことを特徴とする受信装置。
【手続補正２】
【補正対象書類名】明細書
【補正対象項目名】００１０
【補正方法】変更
【補正の内容】
【００１０】
上述した課題を解決し、目的を達成するために、本発明は、１台の端末に対して１つ以上の送信レイヤを割り当てるとともに、各送信レイヤにおいて通信リソースの最小割り当て単位であるリソースブロックを１つ以上割り当てて端末へ信号を送信する送信装置であって、複数の送信レイヤのうち、いずれか１つの送信レイヤと対応付けられた処理部を送信レイヤと同じ数だけ備える。また、処理部の各々は、端末が受信信号の復調処理で使用する参照信号を生成する参照信号生成部と、端末との間の伝送路の状態、および、隣接するセルにおける参照信号の送信で使用されるリソースブロックの情報のうち、少なくとも一方に基づいて、端末へ参照信号を送信するリソースブロックの配置および密度をセル毎に決定する情報処理部と、を備える。
【国際調査報告】
2018198287.tif 000024
2018198287.tif 000025
2018198287.tif 000026
2018198287.tif 000027